(57)【特許請求の範囲】
【請求項１】
無線移動通信システムで半持続的スケジューリング（ＳＰＳ）を非活性化する方法であって、
前記方法は、
ユーザ機器（ＵＥ）により、前記ＳＰＳの非活性化に関するダウンリンク制御チャンネル信号を受信することと、
前記ダウンリンク制御チャンネル信号が受信された後に、前記ＵＥにより、前記ＳＰＳを非活性化することと
を含み、
前記ＳＰＳの非活性化は、アップリンクグラントまたはダウンリンク割り当ての解除を含み、
前記ダウンリンク制御チャンネル信号は、
資源割り当てに関する第１の２進フィールドであって、全てが「１」で満たされている第１の２進フィールドと、
ＨＡＲＱ（Ｈｙｂｒｉｄ  Ａｕｔｏｍａｔｉｃ  Ｒｅｐｅａｔ  Ｒｅｑｕｅｓｔ）プロセスナンバーに関する第２の２進フィールドであって、全てが「０」で満たされている第２の２進フィールドと、
ＲＶ（Ｒｅｄｕｎｄａｎｃｙ  Ｖｅｒｓｉｏｎ）に関する第３の２進フィールドであって、全てが「０」で満たされている第３の２進フィールドと
を含む、方法。
【請求項２】
前記ダウンリンク制御チャンネル信号はＰＤＣＣＨ（Ｐｈｙｓｉｃａｌ  Ｄｏｗｎｌｉｎｋ  Ｃｏｎｔｒｏｌ  Ｃｈａｎｎｅｌ）信号である、請求項１に記載の方法。
【請求項３】
前記ダウンリンク制御チャンネル信号のＤＣＩ（Ｄｏｗｎｌｉｎｋ  Ｃｏｎｔｒｏｌ  Ｉｎｆｏｒｍａｔｉｏｎ）フォーマットは、「フォーマット１Ａ」である、請求項１に記載の方法。
【請求項４】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールドで構成される、請求項１に記載の方法。
【請求項５】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールド及び資源の分散割り当てのために使用される「Ｇａｐ」情報を示すフィールドで構成される、請求項１に記載の方法。
【請求項６】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールド及びホッピング情報を示すフィールドで構成される、請求項１に記載の方法。
【請求項７】
無線移動通信システムで半持続的スケジューリング（ＳＰＳ）を非活性化するための信号を送信する方法であって、
前記方法は、
基地局（ＢＳ）により、ダウンリンク制御チャンネル信号内の資源割り当て情報に関する第１の２進フィールドを全て「１」で満たすことと、
前記ＢＳにより、ＨＡＲＱ（Ｈｙｂｒｉｄ  Ａｕｔｏｍａｔｉｃ  Ｒｅｐｅａｔ  Ｒｅｑｕｅｓｔ）プロセスナンバーに関する第２の２進フィールドであって、前記ダウンリンク制御チャンネル信号内の第２の２進フィールドを全て「０」で満たすことと、
前記ＢＳにより、ＲＶ（Ｒｅｄｕｎｄａｎｃｙ  Ｖｅｒｓｉｏｎ）に関する第３の２進フィールドであって、前記ダウンリンク制御チャンネル信号内の第３の２進フィールドを全て「０」で満たすことと、
前記ＳＰＳを非活性化するために前記ダウンリンク制御チャンネル信号をユーザ機器（ＵＥ）に送信することと
を含み、
前記ＳＰＳの非活性化は、アップリンクグラントまたはダウンリンク割り当ての解除を含む、方法。
【請求項８】
前記ダウンリンク制御チャンネル信号はＰＤＣＣＨ（Ｐｈｙｓｉｃａｌ  Ｄｏｗｎｌｉｎｋ  Ｃｏｎｔｒｏｌ  Ｃｈａｎｎｅｌ）信号である、請求項７に記載の方法。
【請求項９】
前記ダウンリンク制御チャンネル信号のＤＣＩ（Ｄｏｗｎｌｉｎｋ  Ｃｏｎｔｒｏｌ  Ｉｎｆｏｒｍａｔｉｏｎ）フォーマットは、「フォーマット１Ａ」である、請求項７に記載の方法。
【請求項１０】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールドで構成される、請求項７に記載の方法。
【請求項１１】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールド及び資源の分散割り当てのために使用される「Ｇａｐ」情報を示すフィールドで構成される、請求項７に記載の方法。
【請求項１２】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールド及びホッピング情報を示すフィールドで構成される、請求項７に記載の方法。
【請求項１３】
無線移動通信システムのためのユーザ機器（ＵＥ）であって、
前記ＵＥは、
無線周波数（ＲＦ）ユニットと、
前記ＲＦユニットに電気的に連結されたプロセッサと
を含み、
前記プロセッサは、
前記ＲＦユニットを介して半持続的スケジューリング（ＳＰＳ）の非活性化に関するダウンリンク制御チャンネル信号を受信することと、
前記ダウンリンク制御チャンネル信号が受信された後に、前記ＳＰＳを非活性化することと
を実行するように構成されており、
前記ＳＰＳの非活性化は、アップリンクグラントまたはダウンリンク割り当ての解除を含み、
前記ダウンリンク制御チャンネル信号は、
資源割り当てに関する第１の２進フィールドであって、全てが「１」で満たされている第１の２進フィールドと、
ＨＡＲＱ（Ｈｙｂｒｉｄ  Ａｕｔｏｍａｔｉｃ  Ｒｅｐｅａｔ  Ｒｅｑｕｅｓｔ）プロセスナンバーに関する第２の２進フィールドであって、全てが「０」で満たされている第２の２進フィールドと、
ＲＶ（Ｒｅｄｕｎｄａｎｃｙ  Ｖｅｒｓｉｏｎ）に関する第３の２進フィールドであって、全てが「０」で満たされている第３の２進フィールドと
を含む、ＵＥ。
【請求項１４】
前記ダウンリンク制御チャンネル信号はＰＤＣＣＨ（Ｐｈｙｓｉｃａｌ  Ｄｏｗｎｌｉｎｋ  Ｃｏｎｔｒｏｌ  Ｃｈａｎｎｅｌ）信号である、請求項１３に記載のＵＥ。
【請求項１５】
前記ダウンリンク制御チャンネル信号のＤＣＩ（Ｄｏｗｎｌｉｎｋ  Ｃｏｎｔｒｏｌ  Ｉｎｆｏｒｍａｔｉｏｎ）フォーマットは、「フォーマット１Ａ」である、請求項１３に記載のＵＥ。
【請求項１６】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールドで構成される、請求項１３に記載のＵＥ。
【請求項１７】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールド及び資源の分散割り当てのために使用される「Ｇａｐ」情報を示すフィールドで構成される、請求項１３に記載のＵＥ。
【請求項１８】
前記無線移動通信システムは、コンパクト方式に基づくスケジューリングを実行し、
前記第１の２進フィールドは、ＲＩＶ（Ｒｅｓｏｕｒｃｅ  Ｉｎｄｉｃａｔｉｏｎ  Ｖａｌｕｅ）を示すフィールド及びホッピング情報を示すフィールドで構成される、請求項１３に記載のＵＥ。
【請求項１９】
無線通信装置であって、
前記無線通信装置は、
無線周波数（ＲＦ）ユニットと、
前記ＲＦユニットに電気的に連結されたプロセッサと
を含み、
前記プロセッサは、
ダウンリンク制御チャンネル信号内の資源割り当て情報に関する第１の２進フィールドを全て「１」で満たすことと、
ＨＡＲＱ（Ｈｙｂｒｉｄ  Ａｕｔｏｍａｔｉｃ  Ｒｅｐｅａｔ  Ｒｅｑｕｅｓｔ）プロセスナンバーに関する第２の２進フィールドであって、前記ダウンリンク制御チャンネル信号内の第２の２進フィールドを全て「０」で満たすことと、
ＲＶ（Ｒｅｄｕｎｄａｎｃｙ  Ｖｅｒｓｉｏｎ）に関する第３の２進フィールドであって、前記ダウンリンク制御チャンネル信号内の第３の２進フィールドを全て「０」で満たすことと、
半持続的スケジューリング（ＳＰＳ）を非活性化するために前記ダウンリンク制御チャンネル信号をユーザ機器（ＵＥ）に送信することと
を実行するように構成されており、前記ＳＰＳの非活性化は、アップリンクグラントまたはダウンリンク割り当ての解除を含む、無線通信装置。
【請求項２０】
前記ダウンリンク制御チャンネル信号はＰＤＣＣＨ（Ｐｈｙｓｉｃａｌ  Ｄｏｗｎｌｉｎｋ  Ｃｏｎｔｒｏｌ  Ｃｈａｎｎｅｌ）信号である、請求項１９に記載の無線通信装置。
【請求項２１】
前記ダウンリンク制御チャンネル信号のＤＣＩ（Ｄｏｗｎｌｉｎｋ  Ｃｏｎｔｒｏｌ  Ｉｎｆｏｒｍａｔｉｏｎ）フォーマットは、「フォーマット１Ａ」である、請求項１９に記載の無線通信装置。
【請求項２２】
コンパクト方式に基づくスケジューリングが実行され、
前記第１の２進フィールドは、ＲＩＶ（Ｒｅｓｏｕｒｃｅ  Ｉｎｄｉｃａｔｉｏｎ  Ｖａｌｕｅ）を示すフィールドで構成される、請求項１９に記載の無線通信装置。
【請求項２３】
コンパクト方式に基づくスケジューリングが実行され、
前記第１の２進フィールドは、ＲＩＶ（Ｒｅｓｏｕｒｃｅ  Ｉｎｄｉｃａｔｉｏｎ  Ｖａｌｕｅ）を示すフィールド及び資源の分散割り当てのために使用される「Ｇａｐ」情報を示すフィールドで構成される、請求項１９に記載の無線通信装置。
【請求項２４】
コンパクト方式に基づくスケジューリングが実行され、
前記第１の２進フィールドは、ＲＩＶ（Ｒｅｓｏｕｒｃｅ  Ｉｎｄｉｃａｔｉｏｎ  Ｖａｌｕｅ）を示すフィールド及びホッピング情報を示すフィールドで構成される、請求項１９に記載の無線通信装置。
【発明の詳細な説明】
【技術分野】
【０００１】
本発明は、無線通信システムに関するもので、特に、セルラ無線通信システムでの半持続的（Ｓｅｍｉ―Ｐｅｒｓｉｓｔｅｎｔ）アップリンク／ダウンリンクパケットデータ送信のための無線資源スケジューリング方式、スケジューリング情報の構成及び伝送方式及びこれを使用する装置に関するものである。
【背景技術】
【０００２】
本発明が適用される移動通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」と称する。）通信システムについて概略的に説明する。
【０００３】
以下、ＬＴＥシステムで使用されるフレーム構造について説明する。３ＧＰＰでは、ＦＤＤ（Ｆｒｅｑｕｅｎｃｙ  Ｄｉｖｉｓｉｏｎ  Ｄｕｐｌｅｘ）に適用可能なタイプ１（Ｔｙｐｅ１）無線フレーム構造とＴＤＤ（Ｔｉｍｅ  Ｄｉｖｉｓｉｏｎ  Ｄｕｐｌｅｘ）に適用可能なタイプ２（Ｔｙｐｅ２）の無線フレーム構造をサポートする。
【０００４】
図１は、ＬＴＥシステムで使用されるタイプ１の無線フレームの構造を示した図である。タイプ１の無線フレームは１０個のサブフレームで構成され、１個のサブフレームは２個のスロットで構成される。各構成単位の時間長さは、図１に示す通りである。
【０００５】
図２は、ＬＴＥシステムで使用されるタイプ２の無線フレームの構造を示した図である。タイプ２の無線フレームは２個のハーフフレームで構成され、各ハーフフレームは、５個のサブフレーム、ＤｗＰＴＳ（Ｄｏｗｎｌｉｎｋ  Ｐｉｌｏｔｉｎｇ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔｉｎｇ  Ｔｉｍｅ  Ｓｌｏｔ）で構成され、１個のサブフレームは２個のスロットで構成される。すなわち、無線フレームのタイプとは関係なしに、１個のサブフレームは２個のスロットで構成される。各構成単位の時間長さは、図２に示す通りである。
【０００６】
以下、ＬＴＥシステムで使用される資源格子構造（Ｒｅｓｏｕｒｃｅ  Ｇｒｉｄ  Ｓｔｒｕｃｔｕｒｅ）について説明する。
【０００７】
図３は、ＬＴＥシステムで使用されるアップリンク（Ｕｐｌｉｎｋ、ＵＬ）の時間―周波数資源格子構造を示す。
【０００８】
各スロットから伝送されるアップリンク信号は、
【化１】
0005426001.tif 000002
個の副搬送波と、
【化２】
0005426001.tif 000003
個のＳＣ―ＦＤＭＡシンボルとを含んで構成される図３のような資源格子によって描写される。ここで、
【化３】
0005426001.tif 000004
は、アップリンクでの資源ブロック（Ｒｅｓｏｕｒｃｅ  Ｂｌｏｃｋ；ＲＢ）の個数を示し、
【化４】
0005426001.tif 000005
は、一つのＲＢを構成する副搬送波の個数を示し、
【化５】
0005426001.tif 000006
は、一つのアップリンクスロットでのＳＣ―ＦＤＭＡシンボルの個数を示す。
【化６】
0005426001.tif 000007
の大きさは、セル内で構成されたアップリンク伝送帯域幅によって変わり、
【化７】
0005426001.tif 000008
を満足しなければならない。ここで、
【化８】
0005426001.tif 000009
は、無線通信システムがサポートする最も小さいアップリンク帯域幅で、
【化９】
0005426001.tif 000010
は、無線通信システムがサポートする最も大きいアップリンク帯域幅である。
【化１０】
0005426001.tif 000011
であるが、これに限定されるわけではない。一つのスロット内に含まれたＳＣ―ＦＤＭＡ（Ｓｉｎｇｌｅ  Ｃａｒｒｉｅｒ―Ｆｒｅｑｕｅｎｃｙ  Ｄｉｖｉｓｉｏｎ  Ｍｕｌｔｉｐｌｅ  Ａｃｃｅｓｓ）シンボルの個数は、上位階層で構成された循環前置（Ｃｙｃｌｉｃ  Ｐｒｅｆｉｘ、ＣＰ）の長さ及び副搬送波の間隔によって異なり得る。
【０００９】
資源格子内の各要素は、資源要素（Ｒｅｓｏｕｒｃｅ  Ｅｌｅｍｅｎｔ、ＲＥ）といい、スロット内のインデックスペア（Ｉｎｄｅｘ  Ｐａｉｒ）
【化１１】
0005426001.tif 000012
によって唯一に識別される。ここで、
【化１２】
0005426001.tif 000013
は、周波数領域でのインデックスで、
【化１３】
0005426001.tif 000014
は、時間領域でのインデックスで、
【化１４】
0005426001.tif 000015
のうちいずれか一つの値を有し、
【化１５】
0005426001.tif 000016
のうちいずれか一つの値を有する。
【００１０】
物理資源ブロック（Ｐｈｙｓｉｃａｌ  Ｒｅｓｏｕｒｃｅ  Ｂｌｏｃｋ、ＰＲＢ）は、時間領域での
【化１６】
0005426001.tif 000017
個の連続的なＳＣ―ＦＤＭＡシンボル及び周波数領域での
【化１７】
0005426001.tif 000018
個の連続的な副搬送波と定義される。
【化１８】
0005426001.tif 000019
は、予め決定された値である。したがって、アップリンクでの一つのＰＲＢは、
【化１９】
0005426001.tif 000020
個の資源要素からなる。また、一つのＰＲＢは、時間領域で一つのスロットに対応し、周波数領域では１８０ｋＨｚに対応する。周波数領域でのＰＲＢナンバー
【化２０】
0005426001.tif 000021
とスロット内の資源要素インデックス
【化２１】
0005426001.tif 000022
の関係を満足することができる。
【００１１】
図４は、ＬＴＥシステムで使用されるダウンリンク（Ｄｏｗｎｌｉｎｋ、ＤＬ）の時間―周波数資源格子構造を示す。
【００１２】
各スロットから伝送されるダウンリンク信号は、
【化２２】
0005426001.tif 000023
個の副搬送波と、
【化２３】
0005426001.tif 000024
個のＯＦＤＭシンボルとを含んで構成される図４のような資源格子によって描写される。
ここで、
【化２４】
0005426001.tif 000025
は、ダウンリンクでの資源ブロックの個数を示し、
【化２５】
0005426001.tif 000026
は、一つのＲＢを構成する副搬送波の個数を示し、
【化２６】
0005426001.tif 000027
は、一つのダウンリンクスロットでのＯＦＤＭシンボルの個数を示す。
【化２７】
0005426001.tif 000028
の大きさは、セル内で構成されたダウンリンク伝送帯域幅によって変わり、
【化２８】
0005426001.tif 000029
を満足しなければならない。ここで、
【化２９】
0005426001.tif 000030
は、無線通信システムがサポートする最も小さいダウンリンク帯域幅で、
【化３０】
0005426001.tif 000031
は、無線通信システムがサポートする最も大きいダウンリンク帯域幅である。
【化３１】
0005426001.tif 000032
であるが、これに限定されるわけではない。一つのスロット内に含まれたＯＦＤＭシンボルの個数は、循環前置の長さ及び副搬送波の間隔によって異なり得る。多重アンテナ伝送の場合、一つのアンテナポート当たりに一つの資源格子が定義される。
【００１３】
各アンテナポートに対する資源格子内の各要素は資源要素といい、スロット内のインデックスペア
【化３１−１】
0005426001.tif 000033
によって唯一に識別される。ここで、
【化３２】
0005426001.tif 000034
は、周波数領域でのインデックスで、
【化３３】
0005426001.tif 000035
は、時間領域でのインデックスで、
【化３４】
0005426001.tif 000036
のうちいずれか一つの値を有し、
【化３５】
0005426001.tif 000037
のうちいずれか一つの値を有する。
【００１４】
図３及び図４に示した資源ブロックは、特定の物理チャンネルと資源要素との間のマッピング関係を記述するために使用される。ＲＢは、物理資源ブロック（Ｐｈｙｓｉｃａｌ  Ｒｅｓｏｕｒｃｅ  Ｂｌｏｃｋ；ＰＲＢ）と仮想資源ブロック（Ｖｉｒｔｕａｌ  Ｒｅｓｏｕｒｃｅ  Ｂｌｏｃｋ；ＶＲＢ）に分けることができる。以下では、ダウンリンクを基準にして説明するが、アップリンクに対しても同一に説明される。
【００１５】
前記一つのＰＲＢは、時間領域の
【化３６】
0005426001.tif 000038
個の連続的なＯＦＤＭシンボルと周波数領域の
【化３７】
0005426001.tif 000039
個の連続的な副搬送波によって定義される。ここで、
【化３８】
0005426001.tif 000040
は、予め決定された値である。したがって、一つのＰＲＢは、
【化３９】
0005426001.tif 000041
個の資源要素で構成される。一つのＰＲＢは、時間領域では一つのスロットに対応し、周波数領域では１８０ｋＨｚに対応するが、これに限定されるわけではない。
【００１６】
ＰＲＢは、周波数領域で０から
【化４０】
0005426001.tif 000042
までの値を有する。周波数領域でのＰＲＢナンバー
【化４１】
0005426001.tif 000043
と一つのスロット内での資源要素
【化４２】
0005426001.tif 000044
との間の関係は、
【化４３】
0005426001.tif 000045
を満足する。
【００１７】
前記ＶＲＢの大きさは、ＰＲＢの大きさと同一である。ＶＲＢは、ローカル型ＶＲＢ（Ｌｏｃａｌｉｚｅｄ  ＶＲＢ、ＬＶＲＢ）と分散型ＶＲＢ（Ｄｉｓｔｒｉｂｕｔｅｄ  ＶＲＢ、ＤＶＲＢ）に分けられて定義される。各タイプのＶＲＢに対して、一つのサブフレーム内の二つのスロットにある一対のＶＲＢには、単一のＶＲＢナンバー
【化４４】
0005426001.tif 000046
が共に割り当てられる。
【００１８】
前記ＶＲＢは、ＰＲＢと同一の大きさを有することができる。二つのタイプのＶＲＢが定義されるが、第一のタイプは、ローカル型ＶＲＢ（Ｌｏｃａｌｉｚｅｄ  ＶＲＢ、ＬＶＲＢ）で、第二のタイプは、分散型ＶＲＢ（Ｄｉｓｔｒｉｂｕｔｅｄ  ＶＲＢ、ＤＶＲＢ）である。各タイプのＶＲＢに対して、一対のＶＲＢは、単一のＶＲＢインデックス（以下、ＶＲＢナンバーとも称される。）を有し、１個のサブフレームの２個のスロットにわたって割り当てられる。すなわち、一つのサブフレームを構成する２個のスロットのうち第１のスロットに属する
【化４５】
0005426001.tif 000047
個のＶＲＢには、それぞれ０から
【化４６】
0005426001.tif 000048
のうちいずれか一つのインデックスが割り当てられ、これと同様に、上述した２個のスロットのうち第２のスロットに属する
【化４７】
0005426001.tif 000049
個のＶＲＢにも、それぞれ０から
【化４８】
0005426001.tif 000050
のうちいずれか一つのインデックスが割り当てられる。
【００１９】
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を使用するＬＴＥシステムで、各端末には、端末が送信又は受信可能な資源領域が基地局から割り当てられる。このとき、時間領域のみならず、周波数領域も割り当てられたとき、資源の割り当てが完成する。
【００２０】
いわゆる非持続的スケジューリング（Ｎｏｎ―Ｐｅｒｓｉｓｔｅｎｔ  Ｓｃｈｅｄｕｌｉｎｇ）方法では、端末に割り当てられる時間―周波数資源領域を一度に知らせる。したがって、前記端末が長い時間の間資源を使用しなければならない場合、資源の割り当てのためのシグナリングを反復的に行わなければならないので、相当量のシグナリングオーバーヘッドが発生するようになる。
【００２１】
一方、いわゆる半持続的スケジューリング（Ｓｅｍｉ―Ｐｅｒｓｉｓｔｅｎｔ  Ｓｃｈｅｄｕｌｉｎｇ、ＳＰＳ）方法では、まず、端末に資源が割り当てられる時間資源領域を割り当てる。このとき、半持続的割り当て方法では、特定端末に割り当てられる時間資源領域が周期性を有するように設定することができる。その次に、必要によって周波数資源領域を割り当てることによって、時間―周波数資源の割り当てを完成する。このように周波数資源領域を割り当てるのを、いわゆる活性化と称することができる。半持続的割り当て方法を使用すれば、一回のシグナリングによって一定期間の間資源割り当てが維持されるので、反復的に資源を割り当てる必要がなく、その結果、シグナリングオーバーヘッドを減少させることができる。その後、前記端末に対する資源割り当てが必要でなくなれば、周波数資源割り当てを解除するためのシグナリングを基地局から端末に伝送することができる。このように周波数資源領域の割り当てを解除するのを、いわゆる非活性化と称することができる。このとき、非活性化のために必要なシグナリングオーバーヘッドを減少させることが望ましい。
【発明の概要】
【発明が解決しようとする課題】
【００２２】
本発明の目的は、コンパクト方式で資源を割り当てる通信システムで、新しいビットフィールドの追加又は新しい制御チャンネルフォーマットの追加なしに、端末にＳＰＳ非活性化を知らせることにある。
【課題を解決するための手段】
【００２３】
上述した課題を解決するために、本発明の一様相によって無線移動通信システムで資源割り当てを解除する資源割り当て解除方法が提供される。前記方法は、端末で資源割り当て情報を含むダウンリンク制御チャンネルを受信し、前記端末で、前記資源割り当て情報を示す２進フィールドがいずれも「１」で満たされた場合、前記端末のための資源割り当てを解除することを含む。
【００２４】
本発明の他の様相によって、無線移動通信システムで資源割り当て解除のための信号を送信する方法が提供される。前記方法は、基地局でダウンリンク制御チャンネルに含まれた資源割り当て情報を示す２進フィールドをいずれも「１」で満たし、前記基地局から前記ダウンリンク制御チャンネルを端末に送信することを含み、前記「１」で満たされた２進フィールドは、前記端末に割り当てられた資源割り当てを解除することを示す。
【００２５】
本発明の更に他の様相によって、無線移動通信システムで半持続的スケジューリングを非活性化する方法が提供される。この方法は、端末でダウンリンク制御チャンネルを受信し、端末で前記ダウンリンク制御チャンネルに含まれた資源割り当て情報を示す２進フィールドがいずれも「１」で満たされた場合、前記半持続的スケジューリングを非活性化することを含む。
【００２６】
本発明の更に他の様相によって、無線移動通信システムで半持続的スケジューリングを非活性化するための信号を送信する方法が提供される。この方法は、基地局でダウンリンク制御チャンネルに含まれた資源割り当て情報を示す２進フィールドをいずれも「１」で満たし、前記ダウンリンク制御チャンネルを送信することを含み、前記「１」で満たされた２進フィールドは、前記半持続的スケジューリングを非活性化することを示す。
【００２７】
本発明の更に他の様相によって、半持続的スケジューリングを使用する装置が提供される。前記装置は、無線周波数ユニットと、前記無線周波数ユニットに電気的に連結されたプロセッサとを含み、前記プロセッサは、前記無線周波数ユニットを通してダウンリンク制御チャンネルを受信するようになっており、前記ダウンリンク制御チャンネルに含まれた資源割り当て情報を示す２進フィールドがいずれも「１」で満たされた場合、前記半持続的スケジューリングを非活性化するようになっている。
【００２８】
本発明の更に他の様相によって、半持続的スケジューリングを使用する装置が提供される。前記装置は、無線周波数ユニットと、前記無線周波数ユニットに電気的に連結されたプロセッサとを含み、前記プロセッサは、前記半持続的スケジューリングを非活性化するとき、ダウンリンク制御チャンネルに含まれた資源割り当て情報を示す２進フィールドをいずれも「１」で満たすようになっており、前記ダウンリンク制御チャンネルを前記無線周波数ユニットを通して送信するようになっており、前記「１」で満たされた２進フィールドは、前記半持続的スケジューリングを非活性化することを示す。
【００２９】
本発明の更に他の様相によって無線移動通信端末が提供される。前記無線移動通信端末は、無線周波数ユニットと、前記無線周波数ユニットに電気的に連結されたプロセッサとを含み、前記プロセッサは、前記無線周波数ユニットを通して資源割り当て情報を含むダウンリンク制御チャンネルを受信するようになっており、前記資源割り当て情報を示す２進フィールドがいずれも「１」で満たされた場合、前記無線移動通信端末のための資源割り当てを解除するようになっている。
【００３０】
本発明の更に他の様相によって無線通信装置が提供される。前記無線通信装置は、無線周波数ユニットと、前記無線周波数ユニットに電気的に連結されたプロセッサとを含み、前記プロセッサは、ダウンリンク制御チャンネルに含まれた資源割り当て情報を示す２進フィールドをいずれも「１」で満たすようになっており、前記ダウンリンク制御チャンネルを端末に送信するようになっており、前記「１」で満たされた２進フィールドは、前記端末に割り当てられた資源割り当てを解除することを示す。
【００３１】
望ましくは、前記ダウンリンク制御チャンネルはＰＤＣＣＨ（Ｐｈｙｓｉｃａｌ  Ｄｏｗｎｌｉｎｋ  Ｃｏｎｔｒｏｌ  Ｃｈａｎｎｅｌ）である。
【００３２】
望ましくは、前記ダウンリンク制御チャンネルのＤＣＩ（Ｄｏｗｎｌｉｎｋ  Ｃｏｎｔｒｏｌ  Ｉｎｆｏｒｍａｔｉｏｎ）フォーマットは、「フォーマット０」又は「フォーマット１Ａ」である。
【００３３】
望ましくは、前記無線移動通信システムはコンパクト方式のスケジューリングを使用し、前記２進フィールドは、資源指示値（Ｒｅｓｏｕｒｃｅ  Ｉｎｄｉｃａｔｉｏｎ  Ｖａｌｕｅ、ＲＩＶ）を示すフィールドで構成される。
【００３４】
望ましくは、前記無線移動通信システムはコンパクト方式のスケジューリングを使用し、前記２進フィールドは、資源指示値を示すフィールド及び資源の分散割り当てのために使用される「Ｇａｐ」情報を示すフィールドで構成される。
【００３５】
望ましくは、前記無線移動通信システムはコンパクト方式のスケジューリングを使用し、前記２進フィールドは、資源指示値を示すフィールド及びホッピング情報を示すフィールドで構成される。
【００３６】
望ましくは、前記資源割り当て情報は、資源ブロック割り当て情報で構成される。また、前記資源割り当て情報は、資源ブロック割り当て情報及びホッピング資源割り当て情報で構成される。
【００３７】
望ましくは、前記資源ブロック割り当て情報は、前記資源指示値によって表示される。
【００３８】
前記資源指示値は、組み合わせ可能な連続的な仮想資源ブロックの開始インデックス（Ｓ）及び長さ（Ｌ）のペアを示す。
本発明は、例えば、以下の項目も提供する。
（項目１）
無線移動通信システムで資源割り当てを解除する資源割り当て解除方法であって、
端末で資源割り当て情報を含むダウンリンク制御チャンネルを受信し、
前記端末で、前記資源割り当て情報を示す２進フィールドがいずれも「１」で満たされた場合、前記端末のための資源割り当てを解除することを含む、資源割り当て解除方法。
（項目２）
前記ダウンリンク制御チャンネルはＰＤＣＣＨ（Ｐｈｙｓｉｃａｌ  Ｄｏｗｎｌｉｎｋ  Ｃｏｎｔｒｏｌ  Ｃｈａｎｎｅｌ）である、項目１に記載の資源割り当て解除方法。
（項目３）
前記資源割り当て情報は資源ブロック割り当て情報で構成され、前記資源ブロック割り当て情報は資源指示値（Ｒｅｓｏｕｒｃｅ  Ｉｎｄｉｃａｔｉｏｎ  Ｖａｌｕｅ、ＲＩＶ）によって表現される、項目２に記載の資源割り当て解除方法。
（項目４）
前記資源割り当て情報は、資源ブロック割り当て情報及びホッピング資源割り当て情報で構成され、前記資源ブロック割り当て情報は資源指示値（Ｒｅｓｏｕｒｃｅ  Ｉｎｄｉｃａｔｉｏｎ  Ｖａｌｕｅ、ＲＩＶ）によって表現される、項目２に記載の資源割り当て解除方法。
（項目５）
無線移動通信システムで資源割り当て解除のための信号を送信する方法であって、
基地局でダウンリンク制御チャンネルに含まれた資源割り当て情報を示す２進フィールドをいずれも「１」で満たし、
前記基地局で前記ダウンリンク制御チャンネルを端末に送信することを含み、
前記「１」で満たされた２進フィールドは、前記端末に割り当てられた資源割り当てを解除することを示す、資源割り当て解除信号送信方法。
（項目６）
無線移動通信システムで半持続的スケジューリングを非活性化する方法であって、
端末でダウンリンク制御チャンネルを受信し、
前記端末で、前記ダウンリンク制御チャンネルに含まれた資源割り当て情報を示す２進フィールドがいずれも「１」で満たされた場合、前記半持続的スケジューリングを非活性化することを含む、半持続的スケジューリング非活性化方法。
（項目７）
前記ダウンリンク制御チャンネルはＰＤＣＣＨ（Ｐｈｙｓｉｃａｌ  Ｄｏｗｎｌｉｎｋ  Ｃｏｎｔｒｏｌ  Ｃｈａｎｎｅｌ）である、項目６に記載の半持続的スケジューリング非活性化方法。
（項目８）
前記ダウンリンク制御チャンネルのＤＣＩ（Ｄｏｗｎｌｉｎｋ  Ｃｏｎｔｒｏｌ  Ｉｎｆｏｒｍａｔｉｏｎ）フォーマットは、「フォーマット０」又は「フォーマット１Ａ」である、項目７に記載の半持続的スケジューリング非活性化方法。
（項目９）
前記無線移動通信システムは、コンパクト方式のスケジューリングを使用し、前記２進フィールドは、資源指示値（Ｒｅｓｏｕｒｃｅ  Ｉｎｄｉｃａｔｉｏｎ  Ｖａｌｕｅ、ＲＩＶ）を示すフィールドで構成される、項目６に記載の半持続的スケジューリング非活性化方法。
（項目１０）
前記無線移動通信システムは、コンパクト方式のスケジューリングを使用し、前記２進フィールドは、資源指示値（Ｒｅｓｏｕｒｃｅ  Ｉｎｄｉｃａｔｉｏｎ  Ｖａｌｕｅ、ＲＩＶ）を示すフィールド及び資源の分散割り当てのために使用される「Ｇａｐ」情報を示すフィールドで構成される、項目６に記載の半持続的スケジューリング非活性化方法。
（項目１１）
前記無線移動通信システムは、コンパクト方式のスケジューリングを使用し、前記２進フィールドは、資源指示値（Ｒｅｓｏｕｒｃｅ  Ｉｎｄｉｃａｔｉｏｎ  Ｖａｌｕｅ、ＲＩＶ）を示すフィールド及びホッピング情報を示すフィールドで構成される、項目６に記載の半持続的スケジューリング非活性化方法。
（項目１２）
無線移動通信システムで半持続的スケジューリングを非活性化するための信号を送信する方法であって、
基地局で、ダウンリンク制御チャンネルに含まれた資源割り当て情報を示す２進フィールドをいずれも「１」で満たし、
前記ダウンリンク制御チャンネルを送信することを含み、
前記「１」で満たされた２進フィールドは、前記半持続的スケジューリングを非活性化することを示す、半持続的スケジューリング非活性化のための信号を送信する方法。
（項目１３）
無線移動通信端末であって、
無線周波数ユニットと、
前記無線周波数ユニットに電気的に連結されたプロセッサと、を含み、
前記プロセッサは、前記無線周波数ユニットを通して資源割り当て情報を含むダウンリンク制御チャンネルを受信するようになっており、前記資源割り当て情報を示す２進フィールドがいずれも「１」で満たされた場合、前記無線移動通信端末のための資源割り当てを解除するようになっている、無線移動通信端末。
（項目１４）
無線通信装置であって、
無線周波数ユニットと、
前記無線周波数ユニットに電気的に連結されたプロセッサと、を含み、
前記プロセッサは、ダウンリンク制御チャンネルに含まれた資源割り当て情報を示す２進フィールドをいずれも「１」で満たすようになっており、前記ダウンリンク制御チャンネルを端末に送信するようになっており、前記「１」で満たされた２進フィールドは、前記端末に割り当てられた資源割り当てを解除することを示す、無線通信装置。
【発明の効果】
【００３９】
本発明によれば、ＳＰＳ非活性化状態を示すために、ＰＤＣＣＨでＲＢ割り当てのためにマッピングされないＲＩＶの値を使用することによって、ビットフィールドの追加又は新しいフォーマットの追加なしに端末にＳＰＳ非活性化を知らせることができる。
【図面の簡単な説明】
【００４０】
【図１】ＬＴＥで使用されるＦＤＤタイプの無線フレーム構造を示した図である。
【図２】ＬＴＥで使用されるＴＤＤタイプの無線フレーム構造を示した図である。
【図３】ＬＴＥでアップリンクのために使用される資源格子の構造を示した図である。
【図４】ＬＴＥでダウンリンクのために使用される資源格子の構造を示した図である。
【図５】移動通信システムの一例としてＥ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）網構造を概略的に示した図である。
【図６】３ＧＰＰ無線接続網規格を基盤にした端末とＵＴＲＡＮとの間の無線インターフェースプロトコルの構造を示す図である。
【図７】３ＧＰＰ無線接続網規格を基盤にした端末とＵＴＲＡＮとの間の無線インターフェースプロトコルの構造を示す図である。
【図８】移動通信システムの一例であるＬＴＥシステムに用いられる物理チャンネル及びこれらを用いた一般的な信号伝送方法を説明するための図である。
【図９】端末がアップリンク信号を伝送する信号処理過程を説明するための図である。
【図１０】基地局がダウンリンク信号を伝送する信号処理過程を説明するための図である。
【図１１】移動通信システムでアップリンク信号伝送のためのＳＣ―ＦＤＭＡ方式とダウンリンク信号伝送のためのＯＦＤＭＡ方式を説明するための図である。
【図１２】分散型仮想資源ブロック及びローカル型仮想資源ブロックが物理資源ブロックにマッピングされる方法の一例を示した図である。
【図１３】各資源ブロックをコンパクト方式によって割り当てる方法の一例を示した図である。
【図１４】連続したインデックスを有する２個の分散型仮想資源ブロックが複数の隣接した物理資源ブロックにマッピングされる方法の一例を示した図である。
【図１５】連続したインデックスを有する２個の分散型仮想資源ブロックが複数の離隔している物理資源ブロックにマッピングされる方法の一例を示した図である。
【図１６】本発明の一実施例を説明するための、使用可能な資源ブロックの個数が２０である場合の資源指示値（ＲＩＶ）を示した例である。
【図１７】本発明に係るＳＰＳ非活性化シグナリングのためのＰＤＣＣＨフィールドの構成の一例を示す図である。
【図１８】本発明に係るＤＣＩフォーマット１Ａを有するＰＤＣＣＨでＤＶＲＢが割り当てられた場合の各フィールドの構成を示した図である。
【図１９】本発明によってＤＣＩフォーマット０を有するＰＤＣＣＨの各フィールドの構成を示した図である。
【図２０】本発明が使用される装置の各構成要素を示すダイアグラムである。
【図２１】本発明の一実施例によって半持続的スケジューリングを非活性化する方法を示したフローチャートである。
【発明を実施するための形態】
【００４１】
以下、本発明に係る好適な実施形態を添付の図面を参照して詳細に説明する。添付の図面と共に以下で開始する詳細な説明は、本発明の例示的な実施形態を説明するためのもので、本発明が実施され得る唯一の実施形態を示すためのものではない。
【００４２】
以下の詳細な説明は、本発明の完全な理解を提供するために具体的な詳細事項を含む。しかし、当業者であれば、本発明がこのような具体的な詳細事項なしにも実施され得ることを知ることができる。例えば、以下の詳細な説明は、移動通信システムがＬＴＥシステムである場合を仮定して具体的に説明するが、ＬＴＥの特有の事項を除いては、他の任意の移動通信システムにも適用可能である。
【００４３】
いくつかの場合、本発明の概念が曖昧になることを避けるために、公知の構造及び装置が省略されたり、各構造及び装置の核心機能を中心にしたブロック図の形式で示される。また、本明細書全般にわたって同一の構成要素については、同一の図面符号を使用して説明する。
【００４４】
併せて、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）などの移動型又は固定型のユーザ端末機器を総称するものと仮定する。また、基地局は、「Ｎｏｄｅ  Ｂ」、「ｅＮｏｄｅ  Ｂ」、「Ｂａｓｅ  Ｓｔａｔｉｏｎ」などの端末と通信するネットワークの任意のノードを総称するものと仮定する。
【００４５】
移動通信システムで、端末は、基地局からダウンリンクを通して情報を受信することができ、端末は、アップリンクを通して情報を伝送することができる。端末が伝送又は受信する情報としては、データ及び多様な制御情報があり、端末が伝送又は受信する情報の種類・用途によって多様な物理チャンネルが存在する。
【００４６】
図５は、移動通信システムの一例としてＥ―ＵＭＴＳ（Ｅｖｏｌｖｅｄ  ＵｎｉｖｅｒｓａｌＭｏｂｉｌｅ  Ｔｅｌｅｃｏｍｍｕｎｉｃａｔｉｏｎｓ  Ｓｙｓｔｅｍ）網構造を概略的に示した図である。
【００４７】
Ｅ―ＵＭＴＳシステムは、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進行している。一般的に、Ｅ―ＵＭＴＳはＬＴＥシステムともいう。
【００４８】
Ｅ―ＵＭＴＳ網は、大きくＥ―ＵＴＲＡＮ５０１とＣＮ（Ｃｏｒｅ  Ｎｅｔｗｏｒｋ）５０２に区分することができる。Ｅ―ＵＴＲＡＮ（Ｅｖｏｌｖｅｄ―ＵＭＴＳ  Ｔｅｒｒｅｓｔｒｉａｌ  Ｒａｄｉｏ  Ａｃｃｅｓｓ  Ｎｅｔｗｏｒｋ）５０１は、端末（Ｕｓｅｒ  Ｅｑｕｉｐｍｅｎｔ、ＵＥ）５０３と、基地局（「ｅＮｏｄｅ  Ｂ」又は「ｅＮＢ」）５０４と、網の終端に位置して外部網と連結される接続ゲートウェイ（Ａｃｃｅｓｓ  Ｇａｔｅｗａｙ；以下、「ＡＧ」と略称する。）５０５とを含んで構成される。ＡＧ５０５は、ユーザトラフィック処理を担当する部分と制御用トラフィックを処理する部分に分けられることもある。このとき、新しいユーザトラフィック処理のためのＡＧと制御用トラフィックを処理するＡＧは、新しいインターフェースを介して互いに通信することもできる。
【００４９】
一つの基地局には一つ以上のセルが存在することができる。各基地局間には、ユーザトラフィック又は制御トラフィック伝送のためのインターフェースが使用されることもある。ＣＮ５０２は、ＡＧ５０５と、その他の端末５０３のユーザ登録などのためのノードなどで構成されることもある。また、Ｅ―ＵＴＲＡＮ５０１とＣＮ５０２を区分するためのインターフェースが使用されることもある。
【００５０】
端末と網との間の無線インターフェースプロトコルの各階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個の階層に基づいてＬ１（第１の階層）、Ｌ２（第２の階層）及びＬ３（第３の階層）に区分される。このうち第１の階層に属する物理階層は、物理チャンネルを用いた情報伝送サービスを提供し、第３の階層に位置する無線資源制御（Ｒａｄｉｏ  Ｒｅｓｏｕｒｃｅ  Ｃｏｎｔｒｏｌ；以下、ＲＲＣと略称する。）階層は、端末と網との間の無線資源を制御する役割をする。このために、ＲＲＣ階層は、端末と網との間でＲＲＣメッセージを互いに交換する。ＲＲＣ階層は、基地局５０４とＡＧ５０５などの網ノードに分散して位置したり、基地局５０４又はＡＧ５０５のみに位置することができる。
【００５１】
図６及び図７は、３ＧＰＰ無線接続網規格を基盤にした端末とＵＴＲＡＮとの間の無線インターフェースプロトコルの構造を示す。
【００５２】
図６及び図７の無線インターフェースプロトコルは、水平的に物理階層、データリンク階層及びネットワーク階層からなり、垂直的には、データ情報伝送のためのユーザ平面と制御信号伝達のための制御平面に区分される。具体的に、図６は、無線プロトコル制御平面の各階層を示し、図７は、無線プロトコルユーザ平面の各階層を示す。図６及び図７の各プロトコル階層は、通信システムで広く知られた開放型システム間相互接続（ＯＳＩ）基準モデルの下位３個の階層に基づいてＬ１（第１の階層）、Ｌ２（第２の階層）及びＬ３（第３の階層）に区分される。
【００５３】
以下では、図６の無線プロトコル制御平面と図７の無線プロトコルユーザ平面の各階層を説明する。
【００５４】
第１の階層である物理（Ｐｈｙｓｉｃａｌ；ＰＨＹ）階層は、物理チャンネルを用いて上位階層に情報伝送サービスを提供する。ＰＨＹ階層は、上位の媒体接続制御（Ｍｅｄｉｕｍ  Ａｃｃｅｓｓ  Ｃｏｎｔｒｏｌ；ＭＡＣ）階層と伝送チャンネルを介して連結されており、この伝送チャンネルを介してＭＡＣ階層とＰＨＹ階層との間のデータが移動する。このとき、伝送チャンネルは、チャンネルの共有有無によって専用伝送チャンネルと共用伝送チャンネルに分けられる。そして、互いに異なる各ＰＨＹ階層間、すなわち、送信側と受信側のＰＨＹ階層間には、無線資源を用いた物理チャンネルを介してデータが移動する。
【００５５】
第２の階層には多様な階層が存在する。まず、媒体接続制御（Ｍｅｄｉｕｍ  Ａｃｃｅｓｓ  Ｃｏｎｔｒｏｌ；ＭＡＣ）階層は、多様な論理チャンネルを多様な伝送チャンネルにマッピングする役割をし、多くの論理チャンネルを一つの伝送チャンネルにマッピングする論理チャンネル多重化の役割をする。ＭＡＣ階層は、上位階層であるＲＬＣ階層とは論理チャンネルで連結されており、論理チャンネルは、伝送される情報の種類によって、制御平面の情報を伝送する制御チャンネルとユーザ平面の情報を伝送するトラフィックチャンネルに分けられる。
【００５６】
第２の階層の無線リンク制御（Ｒａｄｉｏ  Ｌｉｎｋ  Ｃｏｎｔｒｏｌ；ＲＬＣ）階層は、上位階層から受信したデータを分割及び連結し、下位階層が無線区間にデータを伝送するのに適する大きさにデータの大きさを調節する役割をする。また、それぞれの無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＴＭ（Ｔｒａｎｓｐａｒｅｎｔ  Ｍｏｄｅ、透明モード）、ＵＭ（Ｕｎ―ａｃｋｎｏｗｌｅｄｇｅｄ  Ｍｏｄｅ、無応答モード）、及びＡＭ（Ａｃｋｎｏｗｌｅｄｇｅｄ  Ｍｏｄｅ、応答モード）の三つの動作モードを提供している。特に、ＡＭ  ＲＬＣは、信頼性のあるデータ伝送のために、自動反復及び要請（Ａｕｔｏｍａｔｉｃ  Ｒｅｐｅａｔ  ａｎｄ  Ｒｅｑｕｅｓｔ；ＡＲＱ）機能を通した再伝送機能を行っている。
【００５７】
第２の階層のパケットデータ収斂プロトコル（Ｐａｃｋｅｔ  Ｄａｔａ  Ｃｏｎｖｅｒｇｅｎｃｅ  Ｐｒｏｔｏｃｏｌ；ＰＤＣＰ）階層は、ＩＰｖ４やＩＰｖ６などのＩＰパケット伝送時に帯域幅の小さい無線区間で効率的に伝送するために、相対的に大きくかつ不必要な制御情報を有しているＩＰパケットヘッダサイズを減少させるヘッダ圧縮機能を行う。これは、データのヘッダ部分で必ず必要な情報のみを伝送し、無線区間の伝送効率を増加させる役割をする。また、ＬＴＥシステムでは、ＰＤＣＰ階層が保安機能も行うが、これは、第３者のデータ盗聴を防止する暗号化と、第３者のデータ操作を防止する無欠性保護（Ｉｎｔｅｇｒｉｔｙ  ｐｒｏｔｅｃｔｉｏｎ）とで構成される。
【００５８】
第３の階層の最も上部に位置した無線資源制御（Ｒａｄｉｏ  Ｒｅｓｏｕｒｃｅ  Ｃｏｎｔｒｏｌ；ＲＲＣ）階層は、制御平面のみで定義され、各無線ベアラ（Ｒａｄｉｏ  Ｂｅａｒｅｒ；ＲＢ）の設定、再設定及び解除と関連し、論理チャンネル、伝送チャンネル及び物理チャンネルの制御を担当する。ここで、ＲＢは、端末とＵＴＲＡＮとの間のデータ伝達のために無線プロトコルの第１及び第２の階層によって提供される論理的経路を意味し、一般的に、ＲＢが設定されるのは、特定サービスを提供するために必要な無線プロトコル階層及びチャンネルの特性を規定し、それぞれの具体的なパラメータ及び動作方法を設定する過程を意味する。ＲＢは、再びＳＲＢ（Ｓｉｇｎａｌｉｎｇ  ＲＢ）とＤＲＢ（Ｄａｔａ  ＲＢ）の二つに分けられるが、ＳＲＢは、制御平面（Ｃ―ｐｌａｎｅ）でＲＲＣメッセージを伝送する通路として使用され、ＤＲＢは、ユーザ平面でユーザデータを伝送する通路として使用される。
【００５９】
網から端末にデータを伝送するダウンリンク伝送チャンネルとしては、システム情報を伝送するＢＣＨ（Ｂｒｏａｄｃａｓｔ  Ｃｈａｎｎｅｌ）と、ユーザトラフィックや制御メッセージを伝送するダウンリンクＳＣＨ（Ｓｈａｒｅｄ  Ｃｈａｎｎｅｌ）とがある。ダウンリンクマルチキャスト又は放送サービスのトラフィック又は制御メッセージの場合、ダウンリンクＳＣＨを介して伝送されたり、又は、別途のダウンリンクＭＣＨ（Ｍｕｌｔｉｃａｓｔ  Ｃｈａｎｎｅｌ）を介して伝送される。一方、端末から網にデータを伝送するアップリンク伝送チャンネルとしては、初期制御メッセージを伝送するＲＡＣＨ（Ｒａｎｄｏｍ  Ａｃｃｅｓｓ  Ｃｈａｎｎｅｌ）と、ユーザトラフィックや制御メッセージを伝送するアップリンクＳＣＨ（Ｓｈａｒｅｄ  Ｃｈａｎｎｅｌ）とがある。
【００６０】
そして、ダウンリンク伝送チャンネルを介して伝達される情報を網と端末との間の無線区間に伝送するダウンリンク物理チャンネルとしては、ＢＣＨの情報を伝送するＰＢＣＨ（Ｐｈｙｓｉｃａｌ  Ｂｒｏａｄｃａｓｔ  Ｃｈａｎｎｅｌ）、ＭＣＨの情報を伝送するＰＭＣＨ（Ｐｈｙｓｉｃａｌ  Ｍｕｌｔｉｃａｓｔ  Ｃｈａｎｎｅｌ）、ＰＣＨとダウンリンクＳＣＨの情報を伝送する物理ダウンリンク共有チャンネルであるＰＤＳＣＨ（Ｐｈｙｓｉｃａｌ  Ｄｏｗｎｌｉｎｋ  ｓｈａｒｅｄ  Ｃｈａｎｎｅｌ）、そして、ダウンリンク又はアップリンク無線資源割り当て情報（ＤＬ／ＵＬ  Ｓｃｈｅｄｕｌｉｎｇ  Ｇｒａｎｔ）などのように第１の階層と第２の階層で提供する制御情報を伝送する物理ダウンリンク制御チャンネルであるＰＤＣＣＨ（Ｐｈｙｓｉｃａｌ  Ｄｏｗｎｌｉｎｋ  Ｃｏｎｔｒｏｌ  Ｃｈａｎｎｅｌ、又はＤＬ  Ｌ１／Ｌ２  ｃｏｎｔｒｏｌ  ｃｈａｎｎｅｌともいう。）がある。一方、アップリンク伝送チャンネルを介して伝達される情報を網と端末との間の無線区間に伝送するアップリンク物理チャンネルとしては、アップリンクＳＣＨの情報を伝送するＰＵＳＣＨ（Ｐｈｙｓｉｃａｌ  Ｕｐｌｉｎｋ  Ｓｈａｒｅｄ  Ｃｈａｎｎｅｌ）、ＲＡＣＨ情報を伝送するＰＲＡＣＨ（Ｐｈｙｓｉｃａｌ  Ｒａｎｄｏｍ  Ａｃｃｅｓｓ  Ｃｈａｎｎｅｌ）、そして、ＨＡＲＱ  ＡＣＫ又はＮＡＣＫ、スケジューリング要請（ＳＲ；Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｏｒ）報告などのように第１の階層と第２の階層で提供する制御情報を伝送するＰＵＣＣＨ（Ｐｈｙｓｉｃａｌ  Ｕｐｌｉｎｋ  Ｃｏｎｔｒｏｌ  Ｃｈａｎｎｅｌ）がある。
【００６１】
図８は、移動通信システムの一例である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）システムに用いられる各物理チャンネル及びこれらを用いた一般的な信号伝送方法を説明するための図である。
【００６２】
電源がオフになった状態で再び電源がオンになった端末、又は新たにセルに進入した端末は、段階Ｓ８０１で基地局と同期を合わせる初期セル探索作業を行う。このために、端末は、基地局から主同期チャンネル（Ｐ―ＳＣＨ：Ｐｒｉｍａｒｙ  Ｓｙｎｃｈｒｏｎｉｚａｔｉｏｎ  Ｃｈａｎｎｅｌ）及び副同期チャンネル（Ｓ―ＳＣＨ：Ｓｅｃｏｎｄａｒｙ  Ｓｙｎｃｈｒｏｎｉｚａｔｉｏｎ  Ｃｈａｎｎｅｌ）を受信し、基地局と同期を合わせ、セルＩＤなどの情報を獲得することができる。その後、端末は、基地局から物理放送チャンネルを受信し、セル内の放送情報を獲得することができる。一方、端末は、初期セル探索段階でダウンリンク参照信号（Ｄｏｗｎｌｉｎｋ  Ｒｅｆｅｒｅｎｃｅ  Ｓｉｇｎａｌ：ＤＬ  ＲＳ）を受信し、ダウンリンクチャンネル状態を確認することができる。
【００６３】
初期セル探索を終了した端末は、段階Ｓ８０２でＰＤＣＣＨ及び前記物理ダウンリンク制御チャンネル情報による物理ダウンリンク共有チャンネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信し、より具体的なシステム情報を獲得することができる。
【００６４】
一方、基地局に最初に接続したり、アップリンク伝送のための資源がない場合、端末は、基地局に段階Ｓ８０３〜段階Ｓ８０６のような任意接続過程（Ｒａｎｄｏｍ  Ａｃｃｅｓｓ  Ｐｒｏｃｅｄｕｒｅ）を行うことができる。このために、端末は、物理任意接続チャンネル（ＰＲＡＣＨ：Ｐｈｙｓｉｃａｌ  Ｒａｎｄｏｍ  Ａｃｃｅｓｓ  Ｃｈａｎｎｅｌ）を介して特定シーケンスをプリアンブルとして伝送し（Ｓ８０３）、物理ダウンリンク制御チャンネル及びこれに対応する物理ダウンリンク共有チャンネルを介して前記任意接続に対する応答メッセージを受信することができる（Ｓ８０４）。ハンドオーバーの場合を除いた競争基盤の任意接続の場合、その後、追加的な物理任意接続チャンネルの送信（Ｓ８０５）及び物理ダウンリンク制御チャンネル／物理ダウンリンク共有チャンネル受信（Ｓ８０６）などの衝突解決手順（Ｃｏｎｔｅｎｔｉｏｎ  Ｒｅｓｏｌｕｔｉｏｎ  Ｐｒｏｃｅｄｕｒｅ）を行うことができる。
【００６５】
上述したような手順を行った端末は、以後、一般的なアップリンク／ダウンリンク信号伝送手順として、物理ダウンリンク制御チャンネル／物理ダウンリンク共有チャンネル受信（Ｓ８０７）、及び物理アップリンク共有チャンネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャンネル（ＰＵＣＣＨ：Ｐｈｙｓｉｃａｌ  Ｕｐｌｉｎｋ  Ｃｏｎｔｒｏｌ  Ｃｈａｎｎｅｌ）伝送（Ｓ８０８）を行うことができる。
【００６６】
以下、ＬＴＥシステムにおいて、アップリンク信号とダウンリンク信号を伝送するための信号処理過程を説明する。
【００６７】
図９は、端末がアップリンク信号を伝送する信号処理過程を説明するための図である。
【００６８】
アップリンク信号を伝送するために、端末のスクランブリングモジュール９０１は、端末の特定スクランブリング信号を用いて伝送信号をスクランブリングすることができる。このようにスクランブリングされた信号は、変調マッパ９０２に入力され、伝送信号の種類及び／又はチャンネル状態によってＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）又は１６ＱＡＭ（Ｑｕａｄｒａｔｕｒｅ  Ａｍｐｌｉｔｕｄｅ  Ｍｏｄｕｌａｔｉｏｎ）方式で複素シンボルに変調される。その後、変調された複素シンボルは、変換プリコーダ９０３によって処理された後、資源要素マッパ９０４に入力され、資源要素マッパ９０４は、複素シンボルを実際の伝送に用いられる時間―周波数資源要素にマッピングすることができる。このように処理された信号は、ＳＣ―ＦＤＭＡ信号生成器９０５を経てアンテナを介して基地局に伝送される。
【００６９】
図１０は、基地局がダウンリンク信号を伝送する信号処理過程を説明するための図である。
【００７０】
ＬＴＥシステムで、基地局は、ダウンリンクで一つ以上のコードワードを伝送することができる。したがって、一つ以上のコードワードは、それぞれ図９のアップリンクの場合と同様に、スクランブリングモジュール１００１及び変調マッパ１００２を通して複素シンボルとして処理される。その後、複素シンボルは、レイヤマッパ１００３によって複数のレイヤにマッピングされ、各レイヤは、プリコーディングモジュール１００４によってチャンネル状態に応じて選択された所定プリコーディング行列に掛け算され、各伝送アンテナに割り当てられる。このように処理された各アンテナ別の伝送信号は、それぞれ資源要素マッパ１００５によって伝送に用いられる時間―周波数資源要素にマッピングされ、以後、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号生成器１００６を経て各アンテナを介して伝送される。
【００７１】
移動通信システムで端末がアップリンク信号を伝送する場合、基地局がダウンリンク信号を伝送する場合に比べてＰＡＰＲ（Ｐｅａｋ―ｔｏ―Ａｖｅｒａｇｅ  Ｒａｔｉｏ）がさらに問題になり得る。したがって、図９及び図１０と関連して説明したように、アップリンク信号伝送には、ダウンリンク信号の伝送に用いられるＯＦＤＭＡ方式でないＳＣ―ＦＤＭＡ方式が用いられる。
【００７２】
以下、ＬＴＥシステムにおいて、アップリンク信号を伝送するためのＳＣ―ＦＤＭＡ方式とダウンリンク信号を伝送するためのＯＦＤＭＡ方式を説明する。
【００７３】
図１１は、移動通信システムでアップリンク信号伝送のためのＳＣ―ＦＤＭＡ方式とダウンリンク信号伝送のためのＯＦＤＭＡ方式を説明するための図である。
【００７４】
アップリンク信号伝送のための端末及びダウンリンク信号伝送のための基地局は、いずれも直列―並列変換器１１０１、副搬送波マッパ１１０３、Ｍ―ポイントＩＤＦＴ（Ｉｎｖｅｒｓｅ  Ｄｉｓｃｒｅｔｅ  Ｆｏｕｒｉｅｒ  Ｔｒａｎｓｆｏｒｍ）モジュール１１０４及び並列―直列変換器１１０５を含むという点で同一である。ただし、ＳＣ―ＦＤＭＡ方式で信号を伝送するための端末は、Ｎ―ポイントＤＦＴモジュール１１０２を追加で含み、Ｍ―ポイントＩＤＦＴモジュール１１０４の一定部分のＩＤＦＴ処理影響を相殺することによって、伝送信号に単一搬送波特性を持たせることを特徴とする。
【００７５】
セルラＯＦＤＭ無線パケット通信システムで、アップリンク／ダウンリンクデータパケット伝送はサブフレーム単位で行われ、一つのサブフレームは、多数のＯＦＤＭシンボルを含む一定の時間区間と定義される。以下、この出願書の詳細な説明で使用される用語を、便宜のために次のように定義する。
【００７６】
「ＲＥ」（Ｒｅｓｏｕｒｃｅ  Ｅｌｅｍｅｎｔ）は、データ又はその他の制御チャンネルの変調シンボルがマッピングされる最も小さい周波数―時間単位を示す。一つのＯＦＤＭシンボルにＭ個の副搬送波を介して信号が伝送され、一つのサブフレームにＮ個のＯＦＤＭシンボルが伝送される場合、一つのサブフレームにはＭｘＮ個のＲＥが存在する。
【００７７】
「ＰＲＢ」（Ｐｈｙｓｉｃａｌ  Ｒｅｓｏｕｒｃｅ  Ｂｌｏｃｋ）は、データを伝送する単位周波数―時間資源を示す。一般的に、１個のＰＲＢは、周波数―時間領域で連続する複数のＲＥで構成され、一つのサブフレーム内には多数のＰＲＢが定義される。
【００７８】
「ＶＲＢ」（Ｖｉｒｔｕａｌ  Ｒｅｓｏｕｒｃｅ  Ｂｌｏｃｋ）は、データ伝送のための仮想的な単位資源を示す。一般的に、一つのＶＲＢが含むＲＥの個数は、一つのＰＲＢが含むＲＥの個数と同一で、実際にデータが伝送されるとき、一つのＶＲＢが一つのＰＲＢにマッピングされたり、又は、一つのＶＲＢが多数のＰＲＢの一部領域にマッピングされる。
【００７９】
「ＬＶＲＢ」（Ｌｏｃａｌｉｚｅｄ  Ｖｉｒｔｕａｌ  Ｒｅｓｏｕｒｃｅ  Ｂｌｏｃｋ）は、ＶＲＢの一つのタイプである。一つのＬＶＲＢは、一つのＰＲＢにマッピングされる。互いに異なる論理インデックスを有するＬＶＲＢは、互いに異なる物理インデックスを有するＰＲＢにマッピングされる。すなわち、ＬＶＲＢは、ＰＲＢとも解釈される。
【００８０】
「ＤＶＲＢ」（Ｄｉｓｔｒｉｂｕｔｅｄ  Ｖｉｒｔｕａｌ  Ｒｅｓｏｕｒｃｅ  Ｂｌｏｃｋ）は、ＶＲＢの更に他のタイプである。一つのＤＶＲＢは、多数のＰＲＢ内の一部のＲＥにマッピングされ、互いに異なるＤＶＲＢにマッピングされるＲＥは重複されない。
【００８１】
「ＮＤ」＝「Ｎｄ」は、一つのＤＶＲＢがマッピングされるＰＲＢの個数を示す。図１２は、ＤＶＲＢ及びＬＶＲＢがＰＲＢにマッピングされる方法の一例を示した図で、図１２では、ＮＤ＝３である。図１２を参照すれば、任意のＤＶＲＢが３個の分割部に分けられた後、各分割部が互いに異なるＰＲＢにマッピングされることが分かる。このとき、各ＰＲＢで該当のＤＶＲＢがマッピングされずに残る部分は、他のＤＶＲＢの分割部にマッピングされる。ＬＴＥシステムでは、「ＮＤ」＝「Ｎｄ」＝２であるシステム構造を有する。
【００８２】
「ＳＰＳ（Ｓｅｍｉ―Ｐｅｒｓｉｓｔｅｎｔ  Ｓｃｈｅｄｕｌｉｎｇ）」は、特定端末に資源を特定時区間の間持続的に維持するように割り当てるスケジューリング方式である。ＶｏＩＰ（Ｖｏｉｃｅ  ｏｖｅｒ  Ｉｎｔｅｒｎｅｔ  Ｐｒｏｔｏｃｏｌ）のように特定時間の間一定量のデータが伝送される場合、資源割り当てのためにデータ伝送区間ごとに制御情報を伝送する必要がないので、ＳＰＳ方式を使用して制御情報の浪費を減少させることができる。
【００８３】
「ＮＰＲＢ」は、システムのＰＲＢの個数を示す。
【００８４】
「ＮＬＶＲＢ」は、システムで使用可能なＬＶＲＢの個数を示す。
【００８５】
「ＮＤＶＲＢ」は、システムで使用可能なＤＶＲＢの個数を示す。
【００８６】
「ＮＬＶＲＢ＿ＵＥ」は、一つの端末（ＵＥ、Ｕｓｅｒ  Ｅｑｕｉｐｍｅｎｔ）に割り当てられる最大のＬＶＲＢの個数を示す。
【００８７】
「ＮＤＶＲＢ＿ＵＥ」は、一つの端末に割り当てられる最大のＤＶＲＢの個数を示す。
【００８８】
「Ｎｓｕｂｓｅｔ」は、後で説明するサブセットの個数を示す。
【００８９】
「ＮＦ―Ｂｌｏｃｋ」は、複数の周波数帯域を使用するシステムにおいて、使用される周波数帯域の個数を示す。
【００９０】
ここで、「ＲＢの個数」は、周波数軸上で区分されるＲＢの個数を意味する。すなわち、ＲＢがサブフレームを構成するスロットによって区分される場合にも、「ＲＢの個数」は、同一のスロットの周波数軸で区分されるＲＢの個数を意味する。
【００９１】
図１２は、ＬＶＲＢとＤＶＲＢの定義例を示した図である。
【００９２】
図１２に示すように、１個のＬＶＲＢの各ＲＥは、１個のＰＲＢの各ＲＥに１対１にマッピングされる。例えば、ＰＲＢ０には１個のＬＶＲＢがマッピングされる（１２０１）。その一方、１個のＤＶＲＢは３個の分割部に分割され、各分割部は、互いに異なるＰＲＢにそれぞれマッピングされる。例えば、ＤＶＲＢ０は３個の分割部に分割され、それぞれの分割部は、それぞれＰＲＢ１、ＰＲＢ４、ＰＲＢ６にマッピングされる。これと同様に、ＤＶＲＢ１とＤＶＲＢ２は３個の分割部にそれぞれ分割され、それぞれの分割部はＰＲＢ１、ＰＲＢ４、ＰＲＢ６のうち残った資源にマッピングされる。この例で、ＤＶＲＢは３個の分割部に分けられたが、これに限定されるわけではない。すなわち、例えば、ＤＶＲＢは、ＬＴＥの場合のように、２個の分割部に分けられることもある。
【００９３】
基地局から特定端末機へのダウンリンクデータ送信、又は特定端末機から基地局へのアップリンクデータ送信は、一つのサブフレーム内で一つ又は多数のＶＲＢを通して行われる。すなわち、前記データ送信は、前記一つ又は多数のＶＲＢに対応する各ＰＲＢを通して行われる。このとき、基地局は、特定端末機にデータを送信するとき、複数のＶＲＢのうちいずれのＶＲＢを通してデータを送信するかを端末機に知らせなければならない。また、特定端末機がデータを送信できるようにするために、いずれのＶＲＢを通してデータを送信できるかを端末機に知らせる。ＶＲＢがＰＲＢにどのようにマッピングされるかは予め決定され得るので、端末は、自分に割り当てられたＶＲＢに関する情報を獲得するだけで、いずれのＰＲＢを検索しなければならないかを自動的に知ることができる。
【００９４】
データを送信する方式は、大きくＦＤＳ（Ｆｒｅｑｕｅｎｃｙ  Ｄｉｖｅｒｓｉｔｙ  Ｓｃｈｅｄｕｌｉｎｇ）方式とＦＳＳ（Ｆｒｅｑｕｅｎｃｙ  Ｓｅｌｅｃｔｉｖｅ  Ｓｃｈｅｄｕｌｉｎｇ）方式に分けることができる。ＦＤＳ方式は、周波数ダイバーシティを通して受信性能利得を得る方式で、ＦＳＳ方式は、周波数選択的スケジューリングを通して受信性能利得を得る方式である。
【００９５】
ＦＤＳ方式で、送信端は、一つのデータパケットをシステム周波数領域に広く分散された各副搬送波を介して送信し、一つのデータパケット内の各シンボルが多様な無線チャンネルフェーディングを経験するようにし、データパケット全体が不利なフェーディングを経験するのを防止することによって、受信性能の向上を得る。これと異なり、ＦＳＳ方式では、データパケットをシステム周波数領域のうち有利なフェーディング状態である一つ又は多数の連続した周波数領域を通して送信することによって、受信性能の向上を得る。実際のセルラＯＦＤＭ無線パケット通信システムで、一つのセル内には多数の端末機が存在する。このとき、各端末機の無線チャンネル状況は互いに異なる特性を有するので、一つのサブフレーム内でも特定の端末機に対してはＦＤＳ方式のデータ送信を行い、他の端末機に対してはＦＳＳ方式のデータ送信を行う必要がある。したがって、具体的なＦＤＳ送信方式とＦＳＳ送信方式は、二つの方式が一つのサブフレーム内で効率的に多重化されるように設計されなければならない。一方、ＦＳＳ方式では、全体の帯域で端末に有利な帯域を選択的に使用することによって利得を得られるが、ＦＤＳ方式では、特定帯域の良し悪しを比べずに、充分にダイバーシティを得られる周波数間隔を維持する限り、特定周波数帯域を選択して伝送する必要がない。したがって、スケジュールを行う場合、ＦＳＳ方式の周波数選択的スケジューリングを優先的に行えば、システム全体の性能向上の面で有利である。
【００９６】
ＦＳＳ方式では、周波数領域で連続的に隣接している各副搬送波を用いてデータを送信するので、ＬＶＲＢを用いてデータを送信することが望ましい。このとき、一つのサブフレームにＮＰＲＢ個のＰＲＢが存在し、システム内で最大ＮＬＶＲＢ個のＬＶＲＢを用いることができれば、基地局は、各端末機にＮＬＶＲＢビットのビットマップ情報を伝送することによって、その端末機にいずれのＬＶＲＢを通してダウンリンクデータが送信されるか、又は、いずれのＬＶＲＢを通してアップリンクデータを送信できるかを知らせることができる。すなわち、各端末機にスケジューリング情報として伝送されるＮＬＶＲＢビットのビットマップ情報の各ビットは、ＮＬＶＲＢ個のＬＶＲＢのうちそのビットに対応するＬＶＲＢを通してデータが送信されるかどうかを示す。このような方式は、ＮＬＶＲＢの数が大きくなるほど、これに比例して、端末に伝送すべきビット数が大きくなるという短所を有する。
【００９７】
一方、端末に伝送されるＰＤＣＣＨ（Ｐｈｙｓｉｃａｌ  Ｄｏｗｎｌｉｎｋ  Ｃｏｎｔｒｏｌ  Ｃｈａｎｎｅｌ）は、多数のＤＣＩ（Ｄｏｗｎｌｉｎｋ  Ｃｏｎｔｒｏｌ  Ｉｎｆｏｒｍａｔｉｏｎ）フォーマットを有することができる。ＰＤＣＣＨを介して伝送される資源割り当てフィールドは、各ＤＣＩフォーマットによって互いに異なる構成を有することができる。したがって、端末は、受信されたＤＣＩのフォーマットによって資源割り当てフィールドを解釈することができる。
【００９８】
資源割り当てフィールドは、資源割り当てヘッダフィールド及び資源ブロック割り当て情報の二つの部分を含むことができるが、複数の資源割り当てタイプが定義される。例えば、第一のタイプの資源割り当てによれば、資源ブロック割り当て情報は、一つのセットの連続的なＰＲＢからなる、いわゆるＲＢＧ（Ｒｅｓｏｕｒｃｅ  Ｂｌｏｃｋ  Ｇｒｏｕｐ）を示すビットマップを含むことができる。このとき、ＲＢＧ当たりに一つのビットが割り当てられる。第二のタイプの資源割り当てによれば、資源ブロック割り当て情報は、端末に割り当てられたサブセット及びＲＢを示すビットマップを含むことができる。第三のタイプの資源割り当てによれば、資源ブロック割り当て情報は、連続的に割り当てられたＶＲＢを示すビットマップを含むことができる。このとき、資源割り当てフィールドは、資源ブロックの開始位置及び連続的に割り当てられた各資源ブロックの長さを示す資源指示値（Ｒｅｓｏｕｒｃｅ  Ｉｎｄｉｃａｔｉｏｎ  Ｖａｌｕｅ；ＲＩＶ）で構成される。このような資源割り当てに関するタイプの例示は、３ＧＰＰ  ＴＳ  ３６.２１３文書で見出すことができる。
【００９９】
例えば、３ＧＰＰ  ＴＳ  ３６.２１３で、ＤＣＩ（Ｄｏｗｎｌｉｎｋ  Ｃｏｎｔｒｏｌ  Ｉｎｆｏｒｍａｔｉｏｎ）フォーマット１Ａは、一つのＰＤＳＣＨ（Ｐｈｙｓｉｃａｌ  Ｄｏｗｎｌｉｎｋ  Ｓｈａｒｅｄ  Ｃｈａｎｎｅｌ）コードワードのコンパクトスケジューリングのために使用される。コンパクトスケジューリングは、端末に対して一つのセットの連続的な仮想資源ブロックを割り当てるスケジューリング方式であって、上述した第三のタイプの資源割り当てに対応する。以下、本発明で、コンパクトスケジューリング方式はコンパクト方式と称される。
【０１００】
上述したように、端末機に一つのセットの隣接した各ＲＢのみが割り当てられるとすれば、このように割り当てられたＲＢの情報は、ＲＢの開始点とその個数で表現されるコンパクト方式によって表現される。
【０１０１】
図１３は、各資源ブロックをコンパクト方式によって割り当てる方法の一例を示した図である。使用可能なＲＢの数ＮＲＢ＝ＮＬＶＲＢとすれば、この場合、図１３のように各開始点によって使用可能なＲＢの長さがそれぞれ変わるようになり、最終的にＲＢ割り当ての組み合わせの数はＮＬＶＲＢ（ＮＬＶＲＢ＋１）／２になる。したがって、これに必要なビットの数は、ｃｅｉｌｉｎｇ（ｌｏｇ２（ＮＬＶＲＢ（ＮＬＶＲＢ＋１）／２））ビットになる。ここで、ｃｅｉｌｉｎｇ（ｘ）は、ｘを最も近い整数に切り上げた値を意味する。この方法は、ビットマップ方式に比べて、ＮＬＶＲＢの数の増加に伴うビット数の増加がそれほど大きくないという長所を有する。
【０１０２】
一方、ＤＶＲＢの割り当てを端末に知らせる方法の場合、ダイバーシティ利得のために分散されて伝送されるＤＶＲＢの各分割部の位置を予め約束したり、この位置を直接知らせる追加的な情報が必要である。ここで、望ましくは、ＤＶＲＢのためのシグナリングのためのビット数が、上述したコンパクト方式のＬＶＲＢ伝送時のビット数と同一になるように設定されれば、ダウンリンクでのシグナリングビットフォーマットが単純化される。したがって、同一のチャンネル符号化を使用できるという長所がある。
【０１０３】
ここで、一つの端末に多数のＤＶＲＢが割り当てられる場合、この端末に、ＤＶＲＢの開始点のＤＶＲＢインデックス、長さ（＝割り当てられるＤＶＲＢの個数）、一つのＤＶＲＢから分けられる各分割部間の相対的な位置（例えば、各分割部間の「Ｇａｐ」）を知らせるようになる。ＬＴＥでは、システム資源ブロックの個数によって予め決定された値を有する「Ｇａｐ１」及び「Ｇａｐ２」のうちいずれか一つを選択して使用することができる。したがって、これを指示するために、１ビットの値が別途に割り当てられる。
【０１０４】
下記の表１は、ＬＴＥでシステム帯域幅によって使用される「Ｇａｐ」の構成を示したものである。使用可能なシステム資源ブロックの個数が５０個未満の場合、「Ｇａｐ１」（＝１ｓｔ  Ｇａｐ）のみを使用するので、「Ｇａｐ」指示のために１ビットを割り当てる必要がない。しかし、使用可能なシステム資源ブロックの個数が５０個以上である場合は、「Ｇａｐ１」（＝１ｓｔ  Ｇａｐ）及び「Ｇａｐ２」（＝２ｎｄ  Ｇａｐ）のうちいずれか一つを使用しなければならないので、これを示すための１ビットのシグナリングが必要である。
【０１０５】
【表１】
0005426001.tif 000051
【０１０６】
図１４は、連続したインデックスを有する２個のＤＶＲＢが複数の隣接したＰＲＢにマッピングされる方法の一例を示した図である。
【０１０７】
ここで、図１４のように連続したインデックスを有する複数のＤＶＲＢを複数の隣接したＰＲＢにマッピングする場合、１番目の分割部１４０１、１４０２と２番目の分割部１４０３、１４０４は、ギャップ（Ｇａｐ）１４０５だけ互いに離隔するが、上側分割部及び下側分割部のそれぞれに属した各分割部は互いに隣接するようになり、ダイバーシティ次数は２になる。この場合、周波数ダイバーシティは、ギャップのみによって得ることができる。図１４は、「ＮＤ」＝「Ｎｄ」＝２である場合を示す。
【０１０８】
図１５は、連続したインデックスを有する２個のＤＶＲＢが複数の離隔しているＰＲＢにマッピングされる方法の一例を示した図である。
【０１０９】
図１５による方法では、ＤＶＲＢインデックスを図１５のように構成することによって、ＤＶＲＢをＰＲＢに対応させるとき、連続的なＤＶＲＢインデックスは、隣接するＰＲＢに対応せずに分散されるようになる。例えば、ＤＶＲＢインデックス「０」とＤＶＲＢインデックス「１」は互いに隣接して配置されない。すなわち、図１５では、ＤＶＲＢインデックスが０、８、１６、４、１２、２０、…の順に配置されているが、この配置は、図１５での連続的なインデックスを上述したブロックインターリーバに入力して得ることができる。この場合、「Ｇａｐ」（１５０３）による分散のみならず、各分割部１５０１、１５０２内での分散も得ることができる。したがって、図１５のように端末に２個のＤＶＲＢが割り当てられるとき、ダイバーシティ次数が４に増加し、ダイバーシティ利得をさらに得られるという長所がある。図１５は、「ＮＤ」＝「Ｎｄ」＝２である場合を示す。
【０１１０】
このとき、各分割部間の相対的な位置を示す「Ｇａｐ」の値を二つの方法で示すことができる。第一に、「Ｇａｐ」の値をＤＶＲＢインデックスの差値として示すことができる。第二に、「Ｇａｐ」の値を、ＤＶＲＢがマッピングされるＰＲＢ間のインデックスの差値として示すことができる。図１５の場合、第一の方法によれば「Ｇａｐ」＝１であるが、第二の方法によれば「Ｇａｐ」＝３になる。図１５は、後者の場合（１５０３）を示したものである。一方、システム全体のＲＢの個数が変われば、ＤＶＲＢインデックス構成が変わり得るが、第二の方法を使用すれば、各分割部間の物理的な距離を把握できるという長所がある。
【０１１１】
ＤＶＲＢが割り当てられたことをシグナリングするために、上述したＬＶＲＢコンパクト方式を使用することができる。すなわち、一つの端末に対してシグナリングされる各ＤＶＲＢに対してコンパクト方式を使用する場合、これらＤＶＲＢがマッピングされるＰＲＢは、物理周波数領域で分散されるが、これらＤＶＲＢは、仮想領域、すなわち、論理領域で連続的な論理インデックスを有する。このとき、連続的に割り当てられたＲＢの開始点と長さ情報は、ＰＲＢに対する情報でないＶＲＢインデックスの開始点と長さ情報に対応する。
【０１１２】
上述したように、コンパクト方式において、ＬＶＲＢのシグナリングは、ＲＢの開始点と長さ情報からなる。ところが、ＤＶＲＢのシグナリングのためには、場合によって「Ｇａｐ」情報が追加で必要であるので、全体のシグナリングのためのビット数を一定に維持するためには、長さ情報に制限を置いて情報量を減少させなければならない。例えば、５０ＲＢ以上の資源ブロックが使用される場合、上述したＲＩＶフィールドの１ビットを「Ｇａｐ」指示のために割り当てなければならないので、長さ情報に制限を置き、ＲＩＶを伝送するために必要なビット数を減少させる必要がある。
【０１１３】
一方、多くのユーザに共通シグナリングを行うための用途でＲＢを使用する場合、割り当てられたＲＢを知らせるための制御シグナリングは、セル内の全てのユーザがその情報を読めるようにしなければならない。したがって、制御シグナリングに対しては、符号率を低くしたり、又は伝送電力を高くして伝送するようになる。したがって、制限された資源が割り当てられる制御シグナリングに対する符号率を低くするためには、制御データの量を減少させなければならなく、制御データの量を減少させるためには、ＲＢ割り当て情報に使用されるビット数を減少させなければならない。
【０１１４】
これと同様に、割り当てられたＲＢに伝送される制御メッセージデータも、セル内の全てのユーザが該当の情報を読めるようにしなければならないので、制御メッセージデータは、低い符号率で伝送されるようになる。符号率を１／２０と仮定すれば、データが１６ビット増加する場合、チャンネル符号化後のコードワードは３２０ビット増加するようになる。ＬＴＥの場合、１  Ｔｘアンテナ伝送を行い、制御信号のために１ＯＦＤＭシンボルを使用すると仮定すれば、１ＲＢでペイロードデータを伝送できるシンボルの数は１４８個である。したがって、ＱＰＳＫ変調を仮定すれば、伝送可能なビット数は２９６ビットになる。したがって、データが１６ビット増加する場合、３２０ビットのデータが増加するので、２個のＲＢがさらに必要になる。
【０１１５】
すなわち、低い符号率を維持するためには、データの大きさがやや増加するとしても、このデータを伝送するためのＲＢの個数が大いに増加するので、ＲＢが１ＲＢ単位の稠密度で割り当てられる必要性が低くなる。
【０１１６】
以下、１ＲＢ割り当ての稠密度を有して開始位置制限のためのステップを設定する資源割り当てシグナリング構成を説明する。
【０１１７】
数学式１は、ＲＢの開始点（Ｓ）と割り当てるＲＢの数（＝長さ、Ｌ）を知らせる方式であるコンパクト方式を使用してシグナリングする方法の一例を示したものである。
【０１１８】
【数１】
0005426001.tif 000052
【０１１９】
以下、本文書で、ｍｏｄ（ｘ，ｙ）は、ｘ  ｍｏｄ  ｙを意味するもので、「ｍｏｄ」は、モジュロ演算を意味する。また、
【化４９】
0005426001.tif 000053
は、降階演算を意味するもので、
【化５０】
0005426001.tif 000054
内の数字と同じかそれより小さい整数のうち最も大きい数を示す。また、
【化５１】
0005426001.tif 000055
は、昇階演算を意味するもので、
【化５２】
0005426001.tif 000056
内の数字と同じかそれより大きい整数のうち最も小さい数を示す。また、ｒｏｕｎｄ（・）は、（）内の数字と最も近い整数を示す。ｍｉｎ（ｘ，ｙ）は、ｘ、ｙのうち小さい値を示し、ｍａｘ（ｘ，ｙ）は、ｘ、ｙのうち大きい値を示す。
【０１２０】
使用可能な全体のＲＢの個数をＮＲＢとするとき、ＲＢインデックスを０から割り当てれば、０からＮＲＢ−１のインデックスが使用される（ここで、ＮＲＢは、システム帯域の全体のＲＢの個数、ＶＲＢとして使用される全体のＲＢの個数、又は一部の限定された帯域に含まれたＲＢの個数になり得る。）。
【０１２１】
したがって、Ｓ値の範囲は０≦Ｓ≦ＮＲＢ−１になり、Ｓ値によって割り当て可能なＬ値の範囲が変わる。他の観点で見れば、Ｌ値の範囲は１≦Ｌ≦ＮＲＢになり、Ｌ値によって設定可能なＳ値の範囲が変わる。すなわち、特定のＬ値に対しては、特定のＳ値が組み合わされない。
【０１２２】
このような発生不可能な組み合わせを考慮せずに、Ｓ及びＬのそれぞれの最大値を２進数で表記することができる。このように表記された２進数に対するビットフィールドをＳ及びＬに対してそれぞれ構成することができる。このビットフィールドをそれぞれ伝送すれば、ＮＲＢ＝２０である場合、２０＜２５であるので、Ｓ、Ｌのためにそれぞれ５ビットずつ合計１０ビットを伝送しなければならない。しかし、これは、実際に発生不可能な必要でない組み合わせに対する情報まで含むので、不必要な伝送ビットのオーバーヘッドを発生させるようになる。そのため、発生可能なＳ及びＬの組み合わせをＲＩＶと表現し、このＲＩＶを２進数に変換して伝送すれば、伝送ビット数を減少できるようになる。
【０１２３】
図１６は、ＮＲＢ＝２０である場合のＲＩＶを示した例である。
【０１２４】
図１６によれば、Ｓ、Ｌ値の各組み合わせは各ＲＩＶに対応する。数学式１を用いれば、全てのＬ値に対して、０≦Ｓ≦ＮＲＢ−１に対するＲＩＶを求める場合、図１６のようなＲＩＶが生成される。図１６の各要素の値は、対応するＳ、Ｌ組み合わせに対するＲＩＶである。図１６のほぼ半分を占める左上部の値は、ＮＲＢ＝２０であるときに発生可能なＳ、Ｌ組み合わせに該当し、図１６の残りの部分を占める右下部の灰色で表示された部分は、発生不可能なＳ、Ｌ組み合わせに該当する。
【０１２５】
この方式では、
【化５３】
0005426001.tif 000057
である場合の灰色で表示された部分のＲＩＶは、
【化５４】
0005426001.tif 000058
であるときのＲＩＶにマッピングし、ＲＩＶを浪費なしに用いるようになる。例えば、ＮＲＢ＝２０である場合、右下部の領域のうち
【化５５】
0005426001.tif 000059
である部分の各ＲＩＶは、左上部の領域のうち
【化５６】
0005426001.tif 000060
である部分に再び使用される。このとき、左上部の領域において、ＲＩＶの最大値は２０９になる。
【０１２６】
この方式で、ＲＩＶの最大値が伝送ビット数を左右するようになり、ＲＩＶの最大値以下のＲＩＶは、実際にＳ、Ｌの組み合わせによって得られない値にマッピングされないように構成されている。すなわち、ＲＩＶの最大値以下の全ての値は、発生可能なＳ、Ｌの組み合わせに対応する。
【０１２７】
Ｓ値を別途に伝送すれば、Ｓの最大値は１９であるので、Ｓを表示するためには５ビットが必要で（０≦１９＜２５）、Ｌ値を別途に伝送すれば、Ｌの最大値は２０であるので、Ｌを表示するためには５ビットが必要で（０≦２０＜２５）、結果的に、Ｓ、Ｌをそれぞれ別途に伝送すれば、１０ビットが必要になる。しかし、ＲＩＶの範囲が０≦ＲＩＶ≦２０９＜２８であるので、これを表示するためにはＮｂｉｔ＿ｒｅｑｕｉｒｅｄ＝８ビットが必要になり、Ｓ、Ｌ値をそれぞれ別途に構成してビットを構成する場合に比べて２ビットを節約できることが分かる。ここで、有効なＲＩＶ値は２０９で、８ビットで表示可能な最大値は２５５であるので、２１０〜２５５の合計４６個の値が実際には使用されない。
【０１２８】
図１６のような従来のＲＩＶテーブルを使用する場合、このＲＩＶテーブルに定義されていないＲＩＶは、ＬＴＥ端末に対して無効な値になる。例えば、図１６において、２１０〜２５５の値を有するＲＩＶは、ＬＴＥ端末に対して無効な値である。したがって、以下では、図１６のようなＲＩＶテーブルに定義されているＲＩＶは有効ＲＩＶ（Ｖａｌｉｄ  ＲＩＶ）と称し、このＲＩＶテーブルに定義されていないＲＩＶは無効ＲＩＶ（Ｉｎｖａｌｉｄ  ＲＩＶ）と称する。例えば、図１６では、０〜２０９の値を有するＲＩＶは有効ＲＩＶで、２１０〜２５５の値を有するＲＩＶは無効ＲＩＶである。
【０１２９】
有効ＲＩＶは、図１６のテーブル内に定義されているＲＢの割り当て状態のみを知らせるので、無効ＲＩＶは、図１６のテーブル内に定義されていないＲＢの割り当て状態を知らせることができる。上述したように無効ＲＩＶを用いるためには、無効ＲＩＶが存在するという仮定が必要である。数学式２を満足する場合、伝送は可能であるが、実際値として使用されないＲＩＶ値が常に存在することを証明することができる。
【０１３０】
【数２】
0005426001.tif 000061
【０１３１】
ここで、
【化５７】
0005426001.tif 000062
は、資源ブロックの個数が
【化５７−１】
0005426001.tif 000063
であるときの有効ＲＩＶの総個数を示す。数学式２のＮは、前記有効ＲＩＶを全て示すための２進数の最小長さを示す。しかし、この
【化５８】
0005426001.tif 000064
が２の倍数でない場合、Ｍは整数値になり得ないので、Ｍは整数でない。このとき、数学式２が成立するためには、数学式３が成立しなければならない。
【０１３２】
【数３】
0005426001.tif 000065
【０１３３】
数学式３は、数学式４のように表現することができる。
【０１３４】
【数４】
0005426001.tif 000066
【０１３５】
結局、数学式４が成立すれば、上述した無効ＲＩＶが存在することを証明することができる。
【０１３６】
【化５９】
0005426001.tif 000067
が成立すると仮定すれば、
【化６０】
0005426001.tif 000068
でなければならない。すなわち、
【化６１】
0005426001.tif 000069
を満足しなければならない。このとき、
【化６２】
0005426001.tif 000070
を満足するためには、a＝０で、ｂ＝１でなければならない。したがって、
【化６３】
0005426001.tif 000071
である場合のみに
【化６４】
0005426001.tif 000072
が成立する。しかし、ＬＴＥでは、
【化６５】
0005426001.tif 000073
が成立する。そのため、ＬＴＥでは、
【化６６】
0005426001.tif 000074
が成立しない。したがって、
【化６７】
0005426001.tif 000075
であることが証明され、ＬＴＥでは、伝送は可能であるが、実際値として使用されないＲＩＶ値が常に存在する。したがって、前記のように提案した方法は、ＬＴＥに対して常に使用することができる。
【０１３７】
一方、このようなＲＩＶ構成方式で、割り当て可能なＲＢの個数の最大値（＝Ｌｌｉｍｉｔ）を制限する場合、すなわち、Ｌ値がＬｌｉｍｉｔ以下になるように制限する場合、必要なビット数は減少するようになる。図１６で、Ｌｌｉｍｉｔ＝６と設定した場合、発生可能なＬ値の範囲が１≦Ｌ≦６として与えられ、Ｌ値の範囲が７≦Ｌ≦２０である組み合わせは使用しないので、このときのＲＩＶの値の最大値が１１４であることを確認することができる。すなわち、生成可能なＲＩＶの範囲は０≦ＲＩＶ≦１１４＜２７として与えられるので、Ｎｂｉｔ＿ｒｅｑｕｉｒｅｄ＿ｌｉｍ＝７ビットになる。ここで、有効な最大のＲＩＶ値は１１４で、７ビットで表示可能な最大値は１２７であるので、１１５〜１２７の合計１３個の値は実際には使用しない。
【０１３８】
以下、ＬＴＥで使用されるスケジューリング方法のうちＳＰＳについて説明する。
【０１３９】
現在、ＬＴＥでは、アップリンク及び／又はダウンリンクに対するＳＰＳのために、まず、ＲＲＣ（Ｒａｄｉｏ  Ｒｅｓｏｕｒｃｅ  Ｃｏｎｔｒｏｌ）シグナリングを通していずれのサブフレームでＳＰＳ送信／受信をすべきであるかを端末に知らせる。すなわち、ＲＲＣシグナリングを通して、ＳＰＳのために割り当てられる時間―周波数資源のうち時間資源を優先的に指定する。使用可能なサブフレームを知らせるために、例えば、サブフレームの周期とオフセットを知らせることができる。しかし、端末には、ＲＲＣシグナリングを通して時間資源領域のみが割り当てられるので、ＲＲＣシグナリングを受けたとしても、直ちにＳＰＳによる送受信を行うことはない。したがって、端末は、活性化を指示するＰＤＣＣＨを受信した後、その受信されたＰＤＣＣＨに含まれたＲＢ割り当て情報によって周波数資源を割り当て、ＭＣＳ（Ｍｏｄｕｌａｔｉｏｎ  ａｎｄ  Ｃｏｄｉｎｇ  Ｓｃｈｅｍｅ）情報による変調及び符号率を適用し、前記ＲＲＣシグナリングを通して割り当てられたサブフレーム周期とオフセットによって送受信を行いはじめる。その次に、端末は、基地局から非活性化を知らせるＰＤＣＣＨを受信すれば、送受信を中断する。送受信を中断した後で活性化又は再活性化を指示するＰＤＣＣＨを受信すれば、そのＰＤＣＣＨで指定したＲＢ割り当て、ＭＣＳなどを使用してＲＲＣシグナリングで割り当てられたサブフレーム周期とオフセットを有して再び送受信を再開する。このとき、前記活性化、非活性化、及び／又は再活性化指示を含むＰＤＣＣＨは、ＳＰＳ  Ｃ―ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）が検出されたＰＤＣＣＨである。すなわち、時間資源の割り当ては、ＲＲＣシグナリングを通して行われるが、実際の信号の送受信は、ＳＰＳの活性化及び再活性化を指示するＰＤＣＣＨを受信した後で行われ、信号送受信の中断は、ＳＰＳの非活性化を指示するＰＤＣＣＨを受信した後で行われる。
【０１４０】
現在、ＬＴＥでは、ＰＤＣＣＨフォーマットとして、アップリンク用のフォーマット０、ダウンリンク用のフォーマット１、１Ａ、１Ｂ、１Ｃ、１Ｄ、２、２Ａ、３、３Ａなどの多様なフォーマットが定義されており、それぞれの用途に合わせて、ホッピングフラグ（Ｈｏｐｐｉｎｇ  Ｆｌａｇ）、ＲＢ割り当て、ＭＣＳ、ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）、ＴＰＣ（Ｔｒａｎｓｍｉｓｓｉｏｎ  Ｐｏｗｅｒ  Ｃｏｎｔｒｏｌ）、循環シフト（Ｃｙｃｌｉｃ  Ｓｈｉｆｔ）ＤＭ  ＲＳ（Ｄｅｍｏｄｕｌａｔｉｏｎ  Ｒｅｆｅｒｅｎｃｅ  Ｓｉｇｎａｌ）、ＵＬインデックス、ＣＱＩ要請（Ｃｈａｎｎｅｌ  Ｑｕａｌｉｔｙ  Ｉｎｄｉｃａｔｏｒ  Ｒｅｑｕｅｓｔ）、ＤＬ割り当てインデックス、ＨＡＲＱプロセスナンバー（Ｈｙｂｒｉｄ  Ａｕｔｏｍａｔｉｃ  Ｒｅｐｅａｔ  Ｒｅｑｕｅｓｔ  Ｐｒｏｃｅｓｓ  Ｎｕｍｂｅｒ）、ＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）、ＰＭＩ確認などから選択された制御情報が組み合わせ形態で伝送される。
【０１４１】
ＳＰＳ活性化及び再活性化
【０１４２】
ＳＰＳの活性化又は再活性化の場合、ＮＤI、ＲＢ割り当て、ＭＣＳなどの基本情報が必要である。各ＰＤＣＣＨフォーマットには、このような基本情報以外の不必要な情報が存在するようになる。非活性化の場合、ＮＤＩ、ＲＢ割り当て、ＭＣＳ情報なども必要でなく、非活性化状態のみを知らせればよい。
【０１４３】
ＳＰＳ割り当て及び非持続的割り当ては、基本的にＰＤＣＣＨのＣＲＣ（Ｃｙｃｌｉｃ  Ｒｅｄｕｎｄａｎｃｙ  Ｃｈｅｃｋ）部分にマスキングされたＲＮＴＩ（Ｒａｄｉｏ  Ｎｅｔｗｏｒｋ  Ｔｅｍｐｏｒａｒｙ  Ｉｄｅｎｔｉｔｙ）がＳＰＳ  Ｃ―ＲＮＴＩであるか、それともＣ―ＲＮＴＩであるかによって区分される。しかし、本発明によれば、ＳＰＳによる動作時に、ＰＤＣＣＨのフォーマットのうち必要でないビットを０に固定することによって、ＳＰＳ割り当て情報であることを再確認する用途で使用することができる。
【０１４４】
本発明に係るＳＰＳの動作時の各ＰＤＣＣＨフォーマット別具体的なビットフィールド構成は、次の表２〜表５のように示される。
【０１４５】
【表２】
0005426001.tif 000076
【０１４６】
表２は、アップリンクのためのフォーマット０を示し、前記のようにＭＣＳ、ＤＭ―ＲＳ、ＴＰＣビットフィールドの一部又は全部を０に設定すれば、端末は、ＰＤＣＣＨのＣＲＣ部分にＳＰＳ  Ｃ―ＲＮＴＩがマスキングされたこと、すなわち、ＳＰＳ確認（Ｖａｌｉｄａｔｉｏｎ）を確認することができる。
【０１４７】
【表３】
0005426001.tif 000077
【０１４８】
表３は、単一入力多重出力（ＳＩＭＯ、Ｓｉｎｇｌｅ  Ｉｎｐｕｔ  Ｍｕｌｔｉ  Ｏｕｔｐｕｔ）ダウンリンクコンパクト方式のためのフォーマット１Ａを示し、前記のようにＭＣＳ、ＨＡＲＱインデックス、ＲＶビットフィールドの一部又は全部を０に設定すれば、端末は、ＰＤＣＣＨのＣＲＣ部分にＳＰＳ  Ｃ―ＲＮＴＩがマスキングされたことを確認することができる。
【０１４９】
【表４】
0005426001.tif 000078
【０１５０】
表４は、単一入力多重出力ダウンリンク方式のためのフォーマット１を示し、前記のようにＭＣＳ、ＨＡＲＱインデックス、ＲＶビットフィールドの一部又は全部を０に設定すれば、端末は、ＰＤＣＣＨのＣＲＣ部分にＳＰＳ  Ｃ―ＲＮＴＩがマスキングされたことを確認することができる。
【０１５１】
【表５】
0005426001.tif 000079
【０１５２】
表５は、閉ルーフ／開ループ空間多重化（ＳＭ、Ｓｐａｔｉａｌ  Ｍｕｌｔｉｐｌｅｘｉｎｇ）のためのフォーマット２／２Ａを示し、前記のようにＭＣＳ、ＨＡＲＱインデックス、ＲＶビットフィールドの一部又は全部を０に設定すれば、端末は、ＰＤＣＣＨのＣＲＣ部分にＳＰＳ  Ｃ―ＲＮＴＩがマスキングされたことを確認することができる。
【０１５３】
ＳＰＳ非活性化
【０１５４】
次に、本発明に係るＳＰＳ非活性化方法について説明する。
【０１５５】
上述した多様なＰＤＣＣＨフォーマットのうちフォーマット０、１Ａ、１Ｂ、１Ｃ、１Ｄの場合、コンパクト資源割り当て方法が使用される。ここで、上述したように、ＲＩＶの一部が有効ＲＩＶで、他の残りの一部が無効ＲＩＶである場合、無効ＲＩＶをＲＢ割り当てが必要でないイベントのために使用することができる。
【０１５６】
本発明では、ＳＰＳ活性化／非活性化のシグナリングのためにコンパクトタイプのＲＢ割り当て方式を適用したダウンリンク制御信号フォーマットを使用するとき、ＳＰＳの非活性化指示のためのシグナリングとして、ＳＰＳ  Ｃ―ＲＮＴＩが検出されたＰＤＣＣＨに含まれたＲＩＶを使用する。このとき、ＳＰＳ  Ｃ―ＲＮＴＩが検出されたＰＤＣＣＨに含まれたＲＩＶは、上述した無効ＲＩＶが有し得る値のうちいずれか一つの値を有することができる。
【０１５７】
例えば、上述した表１のようなＲＩＶ構成方式では、発生可能なＲＢ割り当て組み合わせを示す有効ＲＩＶは、「０」〜「最大の有効ＲＩＶ（＝２０９）」までの値のうちいずれか一つの値を有することができる。このとき、無効ＲＩＶは、「２１０」〜「２５５」のうちいずれか一つの値を有する。ＳＰＳ  Ｃ―ＲＮＴＩが検出されたＰＤＣＣＨで検出されたＲＩＶが前記無効ＲＩＶに属する場合、端末は、ＳＰＳの非活性化を示すシグナリングが伝送されたと認識する。この無効ＲＩＶが有し得る値には、ＲＩＶを示す２進フィールドで示すことができる最大値が必ず含まれる。すなわち、前記無効ＲＩＶには、ＲＩＶを示す２進フィールド全体を１で満たした値が必ず含まれるので、特に、ＳＰＳ  Ｃ―ＲＮＴＩが検出されたＰＤＣＣＨで検出されたＲＩＶが前記２進フィールド全体を１で満たした値である場合、ＳＰＳの非活性化を示すシグナリングが伝送されたと認識することもできる。
【０１５８】
図１７は、本発明に係るＳＰＳ非活性化シグナリングのためのＰＤＣＣＨフィールドの構成の一例を示す。図１７のようにＲＩＶ２進フィールドが８ビットで構成される場合、２進数ＲＩＶ＝１１１１１１１１２になり、この値が検出されれば、ＳＰＳ非活性化を示すシグナリングが伝送されたと認識することができる。
【０１５９】
以下、本発明によってＤＣＩフォーマット１Ａを有するＰＤＣＣＨでＤＶＲＢが割り当てられた場合のＳＰＳ非活性化を示す方法を説明する。
【０１６０】
図１８は、本発明に係るＤＣＩフォーマット１Ａを有するＰＤＣＣＨでＤＶＲＢが割り当てられた場合の各フィールドの構成を示した図である。図１８の（ａ）は、ＬＶＲＢを使用する場合を示し、図１８の（ｂ）及び（ｃ）は、ＤＶＲＢを使用する場合を示す。図１８の（ｂ）は、「Ｇａｐ１」を使用する場合を示し、図１８の（ｃ）は、「Ｇａｐ２」を使用する場合を示す。
【０１６１】
図１８の（ｂ）及び（ｃ）のようにＤＶＲＢを使用する場合、図１８の（ａ）のようにＬＶＲＢの割り当て情報を示すＲＩＶフィールドとして使用されていた全体のビット（１８０１）のうち１ビット（１８０２）が「Ｇａｐ１」、「Ｇａｐ２」の指示のために使用される。そして、残りのビット（１８０３）のみをＲＩＶフィールドとして割り当てて使用する。このとき、図１８の場合、最大に割り当て可能なＲＢの個数の長さを１６に制限し、ＲＩＶ値は、減少したＲＩＶフィールドを超えないように構成される。
【０１６２】
ここでも、有効な資源割り当てのために使用されない無効ＲＩＶ値が存在し、これをＳＰＳの非活性化を示すシグナリングとして使用することができる。特に、無効ＲＩＶ値が存在するとき、その値にはＲＩＶを示す２進フィールドで示すことができる最大値が含まれるので、この最大値を非活性化用に使用することができる。すなわち、ＲＩＶ２進フィールドを全て１で満たした値を非活性化のために使用することができる。図１８のように「Ｇａｐ」指示（１８０２）にしたがって二つの場合が生じるようになる。図１８の（ｃ）のように「Ｇａｐ２」を有するＳＰＳ非活性化構成は、図１８の（ａ）のように、ＬＶＲＢのためのＲＩＶフィールドがＳＰＳ非活性化を示すように構成した場合と同一のビットパターンを有するようになる。
【０１６３】
また、ＳＰＳ非活性化の場合、「Ｇａｐ１」、「Ｇａｐ２」の区分とＬＶＲＢ、ＤＶＲＢによる区分が無意味であるので、図１８の（ｂ）のように、「Ｇａｐ１」を使用しているＳＰＳ端末であっても、ＬＶＲＢのＲＩＶフィールド全体を１で満たしたものをＳＰＳ非活性化のために使用することができる。すなわち、図１８の（ｂ）のように「Ｇａｐ１」が使用中であっても、ＳＰＳ非活性化時には「Ｇａｐ」指示フィールド（１８０２）を０ではない１で満たすことができる。
【０１６４】
以下、本発明によってＤＣＩフォーマット０を有するＰＤＣＣＨでホッピングを使用する場合にＳＰＳ非活性化を指示する方法を説明する。
【０１６５】
図１９は、本発明によってＤＣＩフォーマット０を有するＰＤＣＣＨの各フィールドの構成を示したものである。図１９の（ａ）は、ホッピングを使用しない場合を示し、図１９の（ｂ）及び（ｃ）は、システム帯域が５０ＲＢ〜１１０ＲＢであるときにホッピングを使用する場合を示す。
【０１６６】
図１９の（ｂ）及び（ｃ）のように、システム帯域が５０ＲＢ〜１１０ＲＢであるときにホッピングを使用する場合、図１９の（ａ）のように、ＶＲＢの割り当て情報を示すＲＩＶフィールドとして使用されていた全体のビット（１９０１）のうち２ビット（１９０２）がホッピング情報の指示のために使用される。そして、残りのビット（１９０３）のみをＲＩＶフィールドとして割り当てて使用する。図示していないが、フォーマット０でホッピングをする場合、システム帯域幅が６ＲＢ〜４９ＲＢであるときには、ＶＲＢ  ＲＩＶフィールドとして使用されていた全体のビットから１ビットをホッピング情報を知らせる用途で使用する。
【０１６７】
例えば、図１９の（ｂ）及び（ｃ）のような場合、最大に割り当て可能なＲＢの個数の長さを制限し、ＲＩＶは、減少したＲＩＶフィールド（１９０３）が表現することができる最大値を超えないように構成される。ここでも、使用されない無効ＲＩＶ値が存在し、これをＳＰＳ非活性化用で使用することができる。無効ＲＩＶには、ＲＩＶが伝送される２進フィールドで示すことができる最大値が含まれるので、この最大値が非活性化用で使用することができる。すなわち、ＲＩＶ２進フィールドをいずれも１で満たした値を非活性化のために使用することができる。図１９のように、ホッピング情報によって二つの場合が生じるようになる。図１９の（ｃ）のようにホッピング情報ビットがいずれも１値を有する場合のＳＰＳ非活性化構成は、図１９の（ａ）のようにホッピングしないとき、ＶＲＢのためのＲＩＶフィールドがＳＰＳ非活性化を示すように構成した場合と同一のビットパターンを有するようになる。
【０１６８】
また、上述したように、ＳＰＳ非活性化の場合、ホッピング情報による区分が無意味であるので、図１９の（ｂ）及び（ｃ）のようにホッピングを使用する場合にも、ＲＩＶフィールド（１９０１）全体を１で満たしたものをＳＰＳ非活性化のために使用することができる。
【０１６９】
上述したように、ＳＰＳ非活性化の場合、他の制御情報は必要でなく、非活性化状態のみを知らせればよいので、望ましくは、アップリンクとダウンリンクでそれぞれフォーマットを一つずつ使用すればよい。すなわち、アップリンクではフォーマット０を使用し、ダウンリンクでは最も短いフォーマットであるフォーマット１Ａを使用することができる。
【０１７０】
表６及び表７は、本発明によってＤＣＩフォーマット０とＤＣＩフォーマット１Ａを使用してアップリンクとダウンリンクのＳＰＳ非活性化をシグナリングするときの具体的なフィールド構成の例題である。
【０１７１】
【表６】
0005426001.tif 000080
【０１７２】
表６は、アップリンクのためのＤＣＩフォーマット０を有するＰＤＣＣＨを示し、端末がＰＤＣＣＨのＣＲＣ部分にＳＰＳ  Ｃ―ＲＮＴＩがマスキングされたことを確認した後、前記のようにＭＣＳ、ＤＭ―ＲＳ、ＴＰＣビットフィールドの一部又は全部が０に設定されたことを確認すれば、ＳＰＳが活性化されたことを知ることができる。また、前記のようにＲＩＶフィールドをいずれも１に設定することによって、ＳＰＳ非活性化がシグナリングされる。「ｘ」で表示された各ビットは、ＳＰＳ確認及びＳＰＳ非活性化と関係ないので、任意の値が各ビットに割り当てられるが、この値を０又は１に固定すれば、端末はＳＰＳ非活性化を追加で確認することができる。
【０１７３】
【表７】
0005426001.tif 000081
【０１７４】
表７は、ダウンリンクのためのＤＣＩフォーマット１Ａを有するＰＤＣＣＨを示し、端末が、ＰＤＣＣＨのＣＲＣ部分にＳＰＳ  Ｃ―ＲＮＴＩがマスキングされたことを確認した後、前記のようにＭＣＳ、ＨＡＲＱインデックス、ＲＶビットフィールドが０に設定されたことを確認すれば、ＳＰＳが活性化されたことを確認することができる。また、前記のようにＲＩＶフィールドをいずれも１に設定することによって、ＳＰＳ非活性化がシグナリングされる。「ｘ」と表示された各ビットは、ＳＰＳ確認及びＳＰＳ非活性化と関係ないので、任意の値が各ビットに割り当てられるが、この値を０又は１に固定すれば、端末は、ＳＰＳ非活性化を追加で確認することができる。
【０１７５】
図２０は、本発明が使用される装置５０の各構成要素を示すダイアグラムである。この装置５０は、端末又は基地局である。また、この装置５０で上述した本発明の方法が具現される。装置５０は、プロセッサ５１、メモリ５２、無線周波数ユニット（ＲＦユニット）５３、ディスプレイユニット５４、及びユーザインターフェースユニット５５を含む。無線インターフェースプロトコルの各レイヤはプロセッサ５１内で具現される。プロセッサ５１は、制御平面とユーザ平面を提供する。各レイヤの機能はプロセッサ５１内で具現される。プロセッサ５１は、競争解決タイマー（Ｃｏｎｔｅｎｔｉｏｎ  Ｒｅｓｏｌｕｔｉｏｎ  Ｔｉｍｅｒ）を含むことができる。メモリ５２は、プロセッサ５１に連結され、オペレーティングシステム、アプリケーション及び一般ファイルを格納する。装置５０が端末であれば、ディスプレイユニット５４は、多様な情報をディスプレイし、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）などのよく知られた要素を使用することができる。ユーザインターフェースユニット５５は、キーパッド、タッチスクリーンなどのよく知られたユーザインターフェースの組み合わせで構成される。ＲＦユニット５３は、プロセッサ５１に連結されて無線信号を送受信することができる。
【０１７６】
実施例１
【０１７７】
以下、本発明に係る第１の実施例を説明する。
【０１７８】
本発明に係る第１の実施例は、図２０の端末５０で半持続的スケジューリングを非活性化する方法及び装置に関するものである。前記端末５０は、無線周波数ユニット５３を通してプロセッサ５１で基地局から伝送されてくるダウンリンク制御チャンネルを受信する。前記プロセッサ５１は、前記ダウンリンク制御チャンネルに含まれた資源割り当て情報を示す２進フィールドがいずれも「１」で満たされた場合、前記半持続的スケジューリングを非活性化する。
【０１７９】
実施例２
【０１８０】
以下、本発明に係る第２の実施例を説明する。
【０１８１】
本発明に係る第２の実施例は、図２０の基地局５０で半持続的スケジューリングを非活性化するための信号を送信する方法及び装置に関するものである。前記半持続的スケジューリングを非活性化するとき、前記基地局５０のプロセッサ５１は、ダウンリンク制御チャンネルに含まれた資源割り当て情報を示す２進フィールドをいずれも「１」で満たす。その次に、前記プロセッサ５１は、無線周波数ユニット５３を通して前記ダウンリンク制御チャンネルを送信する。このとき、前記「１」で満たされた２進フィールドは、前記半持続的スケジューリングを非活性化することを示す。
【０１８２】
上述した実施例１及び実施例２が、それぞれ前記無線周波数ユニットとプロセッサで行われる各段階の組み合わせによる方法発明として再び構成され得ることは明白である。
【０１８３】
実施例３
【０１８４】
図２１は、本発明の一実施例によって半持続的スケジューリングを非活性化する方法を示したフローチャートである。
【０１８５】
半持続的スケジューリングを非活性化するために、基地局は、段階（Ｓ２１０１）でダウンリンク制御チャンネルに含まれた資源割り当て情報を示す２進フィールドをいずれも「１」で満たす。段階（Ｓ２１０２）で、基地局は、前記ダウンリンク制御チャンネルを端末に送信する。段階（Ｓ２１０３）で、端末は、基地局から伝送されてくるダウンリンク制御チャンネルを受信する。段階（Ｓ２１０４）で、端末は、前記ダウンリンク制御チャンネルに含まれた資源割り当て情報を示す２進フィールドがいずれも「１」で満たされた場合、前記半持続的スケジューリングを非活性化する。
【０１８６】
上述した実施例１〜実施例３は、次のように制限される。前記ダウンリンク制御チャンネルはＰＤＣＣＨであり、前記ダウンリンク制御チャンネルのＤＣＩ（Ｄｏｗｎｌｉｎｋ  Ｃｏｎｔｒｏｌ  Ｉｎｆｏｒｍａｔｉｏｎ）フォーマットは、「フォーマット０」又は「フォーマット１Ａ」である。前記無線移動通信システムは、コンパクト方式のスケジューリングを使用し、前記２進フィールドは、資源指示値を示すフィールドで構成される。また、前記２進フィールドは、資源指示値を示すフィールド及び資源の分散割り当てのために使用される「Ｇａｐ」情報を示すフィールドで構成される。また、前記２進フィールドは、資源指示値を示すフィールド及びホッピング情報を示すフィールドで構成される。
【０１８７】
上述したように開示した本発明の好適な各実施例に対する詳細な説明は、当業者が本発明を具現して実施できるように提供された。上記では、本発明の好適な各実施例を参照して説明したが、該当技術分野の熟練した当業者であれば、下記の特許請求の範囲に記載した本発明の思想及び領域から逸脱しない範囲内で本発明を多様に修正及び変更可能であることを理解できるであろう。したがって、本発明は、ここに示した各実施形態に制限されるものでなく、ここで開示した原理及び新規の特徴と一致する最広の範囲を与えるものである。
【産業上の利用可能性】
【０１８８】
本発明は、通信システムで使用される送信機及び受信機で使用可能である。
【図１】
0005426001.tif 000082
【図２】
0005426001.tif 000083
【図３】
0005426001.tif 000084
【図４】
0005426001.tif 000085
【図５】
0005426001.tif 000086
【図６】
0005426001.tif 000087
【図７】
0005426001.tif 000088
【図８】
0005426001.tif 000089
【図９】
0005426001.tif 000090
【図１０】
0005426001.tif 000091
【図１１】
0005426001.tif 000092
【図１２】
0005426001.tif 000093
【図１３】
0005426001.tif 000094
【図１４】
0005426001.tif 000095
【図１５】
0005426001.tif 000096
【図１６】
0005426001.tif 000097
【図１７】
0005426001.tif 000098
【図１８】
0005426001.tif 000099
【図１９】
0005426001.tif 000100
【図２０】
0005426001.tif 000101
【図２１】
0005426001.tif 000102